(57)【要約】【課題】正確に光源のパワー制御を行うことができる光ピックアップ装置及び光記録媒体駆動装置を提供する。【解決手段】光ピックアップ装置は、所定の波長のレーザ光を出射する第１の光源１及び第２の光源５と、第１の光源１又は第２の光源５から出射するレーザ光のパワーを制御するために、第１の光源１又は第２の光源５によって出射されたレーザ光の強度を検出する光検出器１７と、第１の光源１又は第２の光源５によって出射されたレーザ光を円偏光のレーザ光に変換する広帯域１／４波長板１０と、広帯域１／４波長板１０によって変換された円偏光のレーザ光に含まれるＰ偏光成分のレーザ光を光検出器１７へ導くとともに、Ｐ偏光成分とは異なるＳ偏光成分のレーザ光を光記録媒体１９へ導く第１の立上ミラー１２及び第２の立上ミラー１３とを備える。【選択図】図１
2008181631.tif 000002
【特許請求の範囲】
【請求項１】
所定の波長の光を出射する光源と、
前記光源から出射する光のパワーを制御するために、前記光源によって出射された光の強度を検出する光検出部と、
前記光源によって出射された光を円偏光の光に変換する円偏光変換部と、
前記円偏光変換部によって変換された円偏光の光の一部を前記光検出部へ導くとともに前記光の残余を光記録媒体へ導くミラーとを備えることを特徴とする光ピックアップ装置。
【請求項２】
前記ミラーは、前記円偏光変換部によって円偏光に変換された光を前記光検出部へ向けて透過させるとともに光記録媒体へ向けて反射させる部分透過ミラーを含み、
前記部分透過ミラーは、Ｐ偏光成分の透過率がＳ偏光成分の透過率よりも大きいことを特徴とする請求項１記載の光ピックアップ装置。
【請求項３】
前記ミラーは、前記円偏光変換部によって円偏光に変換された光を前記光検出部へ向けて反射させるとともに光記録媒体へ向けて透過させる部分反射ミラーを含み、
前記部分反射ミラーは、Ｓ偏光成分の反射率がＰ偏光成分の反射率よりも大きいことを特徴とする請求項１記載の光ピックアップ装置。
【請求項４】
前記光源は、第１の波長の第１の光、前記第１の波長よりも波長の短い第２の波長の第２の光、及び前記第２の波長よりも波長の短い第３の波長の第３の光を出射し、
前記円偏光変換部は、前記第１の光を円偏光の第１の光に変換し、前記第２の光を円偏光の第２の光に変換し、前記第３の光を円偏光の第３の光に変換し、
前記ミラーは、前記円偏光変換部によって円偏光に変換された前記第１の光の一部、前記第２の光の一部及び前記第３の光の全部を透過させるとともに、前記第１の光の残余及び前記第２の光の残余を光記録媒体に向けて反射させる第１のミラーと、前記第１のミラーを透過した前記第１の光の全部、前記第２の光の全部及び前記第３の光の一部を前記光検出部に向けて透過させるとともに、前記第３の光の残余を光記録媒体に向けて反射させる第２のミラーとを含むことを特徴とする請求項１記載の光ピックアップ装置。
【請求項５】
前記第１のミラーは、前記第１の光及び前記第２の光に対するＰ偏光成分の透過率が所定の値でありＳ偏光成分の透過率が略０であり、前記第３の光に対するＰ偏光成分の透過率とＳ偏光成分の透過率とがともに略１である部分透過ミラーを含み、
前記第２のミラーは、前記第１の光及び前記第２の光に対するＰ偏光成分の透過率が所定の値でありＳ偏光成分の透過率が略０であり、前記第３の光に対するＰ偏光成分の透過率が所定の値でありＳ偏光成分の透過率が略０である部分透過ミラーを含むことを特徴とする請求項４記載の光ピックアップ装置。
【請求項６】
前記光源は、第１の波長の第１の光、前記第１の波長よりも波長の短い第２の波長の第２の光、及び前記第２の波長よりも波長の短い第３の波長の第３の光を出射し、
前記円偏光変換部は、前記第１の光を円偏光の第１の光に変換し、前記第２の光を円偏光の第２の光に変換し、前記第３の光を円偏光の第３の光に変換し、
前記ミラーは、前記円偏光変換部によって円偏光に変換された前記第１の光の一部及び前記第２の光の一部を前記光検出部に向けて反射させるとともに、前記第１の光の残余、前記第２の光の残余及び前記円偏光変換部によって円偏光に変換された前記第３の光の全部を透過させる第１のミラーと、前記第１のミラーを透過した前記第３の光の一部を前記光検出部に向けて反射させるとともに、前記第１のミラーを透過した前記第１の光の全部及び前記第２の光の全部並びに前記第３の光の残余を光記録媒体に向けて透過させる第２のミラーとを含むことを特徴とする請求項１記載の光ピックアップ装置。
【請求項７】
前記第１のミラーは、前記第１の光及び前記第２の光に対するＰ偏光成分の反射率が略０でありＳ偏光成分の反射率が所定の値であり、前記第３の光に対するＰ偏光成分の反射率とＳ偏光成分の反射率とがともに略０である部分反射ミラーを含み、
前記第２のミラーは、前記第１の光及び前記第２の光に対するＰ偏光成分の反射率が略０でありＳ偏光成分の反射率が所定の値であり、前記第３の光に対するＰ偏光成分の反射率が略０でありＳ偏光成分の反射率が所定の値である部分反射ミラーを含むことを特徴とする請求項６記載の光ピックアップ装置。
【請求項８】
前記光源は、第１の波長の第１の光、前記第１の波長よりも波長の短い第２の波長の第２の光、及び前記第２の波長よりも波長の短い第３の波長の第３の光を出射し、
前記円偏光変換部は、前記第１の光を円偏光の第１の光に変換し、前記第２の光を円偏光の第２の光に変換し、前記第３の光を円偏光の第３の光に変換し、
前記ミラーは、前記円偏光変換部によって円偏光に変換された前記第１の光の全部、前記第２の光の全部及び前記第３の光の一部を透過させるとともに、前記第３の光の残余を光記録媒体に向けて反射させる第１のミラーと、前記第１のミラーを透過した前記第１の光の一部、前記第２の光の一部及び前記第３の光の全部を透過させるとともに、前記第１の光の残余及び前記第２の光の残余を光記録媒体に向けて反射させる第２のミラーとを含むことを特徴とする請求項１記載の光ピックアップ装置。
【請求項９】
前記第１のミラーは、前記第１の光及び前記第２の光に対するＰ偏光成分の透過率とＳ偏光成分の透過率とがともに略１であり、前記第３の光に対するＰ偏光成分の透過率が所定の値でありＳ偏光成分の透過率が略０である部分透過ミラーを含み、
前記第２のミラーは、前記第１の光及び前記第２の光に対するＰ偏光成分の透過率が所定の値でありＳ偏光成分の透過率が略０であり、前記第３の光に対するＰ偏光成分の透過率が所定の値でありＳ偏光成分の透過率が略０である部分透過ミラーを含むことを特徴とする請求項８記載の光ピックアップ装置。
【請求項１０】
前記光源は、第１の波長の第１の光、前記第１の波長よりも波長の短い第２の波長の第２の光、及び前記第２の波長よりも波長の短い第３の波長の第３の光を出射し、
前記円偏光変換部は、前記第１の光を円偏光の第１の光に変換し、前記第２の光を円偏光の第２の光に変換し、前記第３の光を円偏光の第３の光に変換し、
前記ミラーは、前記円偏光変換部によって円偏光に変換された前記第３の光の一部を前記光検出部に向けて反射させるとともに、前記円偏光変換部によって円偏光に変換された前記第１の光の全部及び前記第２の光の全部並びに前記第３の光の残余を透過させる第１のミラーと、前記第１のミラーを透過した前記第１の光の一部及び前記第２の光の一部を前記光検出部に向けて反射させるとともに、前記第１の光の残余、前記第２の光の残余及び前記第１のミラーを透過した前記第３の光の全部を光記録媒体に向けて透過させる第２のミラーとを含むことを特徴とする請求項１記載の光ピックアップ装置。
【請求項１１】
前記第１のミラーは、前記第１の光及び前記第２の光に対するＰ偏光成分の反射率とＳ偏光成分の反射率とがともに略０であり、前記第３の光に対するＰ偏光成分の反射率が略０でありＳ偏光成分の反射率が所定の値である部分反射ミラーを含み、
前記第２のミラーは、前記第１の光及び前記第２の光に対するＰ偏光成分の反射率が略０でありＳ偏光成分の反射率が所定の値であり、前記第３の光に対するＰ偏光成分の反射率が略０でありＳ偏光成分の反射率が所定の値である部分反射ミラーを含むことを特徴とする請求項１０記載の光ピックアップ装置。
【請求項１２】
前記光源によって出射された第１の光及び第２の光を前記第１のミラーへ向けて透過させるとともに、前記光源によって出射された第３の光を前記第１のミラーへ向けて反射させるビームスプリッタをさらに備え、
前記円偏光変換部は、前記ビームスプリッタと前記第１のミラーとの間に配置されることを特徴とする請求項４記載の光ピックアップ装置。
【請求項１３】
前記光検出部は、光を受光する受光面が前記光記録媒体の記録面と平行であり、
前記ミラーによって導かれた光を前記光検出部に向けて反射させる反射ミラーをさらに備えることを特徴とする請求項１記載の光ピックアップ装置。
【請求項１４】
前記光源は、第１の波長の第１の光、及び前記第１の波長よりも波長の短い第２の波長の第２の光を出射する第１の光源と、前記第２の波長よりも波長の短い第３の波長の第３の光を出射する第２の光源とを含み、
前記第１の光源によって出射された第１の光及び第２の光を前記第１のミラーへ向けて透過させるとともに、前記第２の光源によって出射された第３の光を前記第１のミラーへ向けて反射させるビームスプリッタと、
前記第１の光源によって出射された第１の光及び第２の光のＳ偏光成分を所定の割合だけ透過させる偏光スタビライザと、
前記偏光スタビライザと前記ビームスプリッタとの間に配置され、前記偏光スタビライザを透過した第１の光又は第２の光を透過させるとともに、前記光記録媒体によって反射された第１の光又は第２の光を反射させる偏光ビームスプリッタとをさらに備え、
前記偏光ビームスプリッタは、前記第１の光及び前記第２の光に対してはＰ偏光成分を透過させＳ偏光成分を反射させることを特徴とする請求項１記載の光ピックアップ装置。
【請求項１５】
前記光源は、第１の波長の第１の光、及び前記第１の波長よりも波長の短い第２の波長の第２の光を出射する第１の光源と、前記第２の波長よりも波長の短い第３の波長の第３の光を出射する第２の光源とを含み、
前記第１の光源によって出射された第１の光及び第２の光を前記第１のミラーへ向けて透過させるとともに、前記第２の光源によって出射された第３の光を前記第１のミラーへ向けて反射させるビームスプリッタと、
前記第１の光源と前記ビームスプリッタとの間に配置され、前記第１の光源から出射した第１の光又は第２の光を透過させるとともに、前記光記録媒体によって反射された第１の光又は第２の光を反射させる偏光ビームスプリッタとをさらに備え、
前記偏光ビームスプリッタは、前記第１の光及び前記第２の光に対してはＰ偏光成分を透過させＳ偏光成分を反射させる第１の光学膜と、前記第１の光に対してはＰ偏光成分を所定の透過率で透過させるとともにＳ偏光成分を透過させず、前記第２の光に対してはＰ偏光成分を透過させＳ偏光成分を反射させる第２の光学膜とを含むことを特徴とする請求項１記載の光ピックアップ装置。
【請求項１６】
光記録媒体に対して情報の記録及び／又は再生を行う及び光記録媒体駆動装置であって、
前記光記録媒体を回転させるスピンドルモータと、
請求項１記載の光ピックアップ装置であり、前記光記録媒体で反射された反射光を受光して光強度に対応した電気信号に変換する信号検出部を含む光ピックアップ装置と、
前記光記録媒体の情報トラックに対して前記光ピックアップ装置を少なくとも径方向に駆動するアクチュエータと、
前記光ピックアップ装置の前記信号検出部から受け取った電気信号からトラッキング誤差信号を生成する信号処理部と、
前記スピンドルモータの駆動を制御するとともに、前記信号処理部から受け取った前記トラッキング誤差信号に基づき、前記アクチュエータの駆動を制御して前記光記録媒体に対するトラッキングサーボを行う制御部とを備えることを特徴とする光記録媒体駆動装置。
【発明の詳細な説明】
【技術分野】
【０００１】
本発明は、光記録媒体に対して情報の記録及び／又は再生を行う光ピックアップ装置及び光記録媒体駆動装置に関するものである。
【背景技術】
【０００２】
従来の光ピックアップ装置では、半導体レーザ素子からＰ偏光されたレーザ光が出射し、出射したレーザ光は、コリメートレンズを経てビームスプリッタによって一部の光が反射されて光検出器に入射し、光検出器によって受光される。光検出器は、受光した光を電気信号に変換する。光検出器によって変換された電気信号は、レーザのパワー制御に用いられる。大部分のレーザ光はビームスプリッタを透過して対物レンズに入射し、光学ディスクの盤面上に集光される。光学ディスクによって反射した光は再度対物レンズを経てビームスプリッタに再度入射する。ビームスプリッタに再度入射した光は、反射されてサーボ系信号検出器及び情報信号検出器に入射し、サーボ系信号検出器及び情報信号検出器によって受光される。サーボ系信号検出器は、受光した光を電気信号に変換する。サーボ系信号検出器によって変換された電気信号は、サーボ系の制御信号として用いられる。また、情報信号検出器は、受光した光を電気信号に変換する。情報信号検出器によって変換された電気信号は、情報信号として用いられる（例えば、特許文献１参照）。
【特許文献１】特開昭６２−１４０２５３号公報
【発明の開示】
【発明が解決しようとする課題】
【０００３】
従来の光ピックアップ装置では、Ｐ偏光されたレーザ光がビームスプリッタに入射するため、対物レンズに向かう光量が少なくなってしまう。そこで、従来の光ピックアップ装置において、対物レンズに向かう光量を増やすため、ビームスプリッタの反射率を下げると、膜厚のばらつきにより光検出器における検出量のばらつきが増加する。
【０００４】
さらに、ビームスプリッタの反射率を下げた場合、反射率の波長依存性により光検出器における検出量の相対変化量が増加するとともに、温度変化によるレーザ光の波長変化により光検出器における検出量が変化し、正確なレーザのパワー制御を行うことが困難となる。
【０００５】
本発明は、上記の問題を解決するためになされたもので、正確に光源のパワー制御を行うことができる光ピックアップ装置及び光記録媒体駆動装置を提供することを目的とするものである。
【課題を解決するための手段】
【０００６】
本発明の一局面に係る光ピックアップ装置は、所定の波長の光を出射する光源と、前記光源から出射する光のパワーを制御するために、前記光源によって出射された光の強度を検出する光検出部と、前記光源によって出射された光を円偏光の光に変換する円偏光変換部と、前記円偏光変換部によって変換された円偏光の光の一部を前記光検出部へ導くとともに前記光の残余を光記録媒体へ導くミラーとを備える。
【０００７】
この構成によれば、光源から所定の波長の光が出射され、光源によって出射された光が円偏光の光に変換される。そして、円偏光の光の一部が光検出部へ導かれるとともに光の残余が光記録媒体へ導かれる。
【０００８】
したがって、光源から出射された光が円偏光に変換され、円偏光に変換された光が、光検出部と光記録媒体とに分かれて導かれるので、光検出部に導く偏光方向の入射光成分が半分になり、その偏光方向に対するミラーの反射率又は透過率を下げることなく光検出部に導く光量を半分にすることができる。そのため、光検出部による検出量のばらつきを抑えつつ、光記録媒体に導く光量を増加させることができ、正確に光源のパワー制御を行うことができる。
【０００９】
また、上記の光ピックアップ装置において、前記ミラーは、前記円偏光変換部によって円偏光に変換された光を前記光検出部へ向けて透過させるとともに光記録媒体へ向けて反射させる部分透過ミラーを含み、前記部分透過ミラーは、Ｐ偏光成分の透過率がＳ偏光成分の透過率よりも大きいことが好ましい。
【００１０】
この構成によれば、部分透過ミラーによって、円偏光に変換された光が光検出部へ向けて透過されるとともに光記録媒体へ向けて反射される。そして、部分透過ミラーのＰ偏光成分の透過率がＳ偏光成分の透過率よりも大きくなっている。したがって、Ｐ偏光成分の光をＳ偏光成分の光よりも多く透過させることができ、Ｐ偏光成分の光を光検出部へ導くことができる。
【００１１】
また、上記の光ピックアップ装置において、前記ミラーは、前記円偏光変換部によって円偏光に変換された光を前記光検出部へ向けて反射させるとともに光記録媒体へ向けて透過させる部分反射ミラーを含み、前記部分反射ミラーは、Ｓ偏光成分の反射率がＰ偏光成分の反射率よりも大きいことが好ましい。
【００１２】
この構成によれば、部分反射ミラーによって、円偏光に変換された光が光検出部へ向けて反射されるとともに光記録媒体へ向けて透過される。そして、部分反射ミラーのＳ偏光成分の反射率がＰ偏光成分の反射率よりも大きくなっている。したがって、Ｓ偏光成分の光をＰ偏光成分の光よりも多く反射させることができ、Ｓ偏光成分の光を光検出部へ導くことができる。
【００１３】
また、上記の光ピックアップ装置において、前記光源は、第１の波長の第１の光、前記第１の波長よりも波長の短い第２の波長の第２の光、及び前記第２の波長よりも波長の短い第３の波長の第３の光を出射し、前記円偏光変換部は、前記第１の光を円偏光の第１の光に変換し、前記第２の光を円偏光の第２の光に変換し、前記第３の光を円偏光の第３の光に変換し、前記ミラーは、前記円偏光変換部によって円偏光に変換された前記第１の光の一部、前記第２の光の一部及び前記第３の光の全部を透過させるとともに、前記第１の光の残余及び前記第２の光の残余を光記録媒体に向けて反射させる第１のミラーと、前記第１のミラーを透過した前記第１の光の全部、前記第２の光の全部及び前記第３の光の一部を前記光検出部に向けて透過させるとともに、前記第３の光の残余を光記録媒体に向けて反射させる第２のミラーとを含むことが好ましい。
【００１４】
この構成によれば、光源によって、第１の波長の第１の光、第１の波長よりも波長の短い第２の波長の第２の光、及び第２の波長よりも波長の短い第３の波長の第３の光が出射される。そして、第１の光が円偏光の第１の光に変換され、第２の光が円偏光の第２の光に変換され、第３の光が円偏光の第３の光に変換される。続いて、第１のミラーによって、円偏光に変換された第１の光の一部、第２の光の一部及び第３の光の全部が透過されるとともに、第１の光の残余及び第２の光の残余が光記録媒体に向けて反射される。さらに、第２のミラーによって、第１のミラーを透過した第１の光の全部、第２の光の全部及び第３の光の一部が光検出部に向けて透過されるとともに、第３の光の残余が光記録媒体に向けて反射される。
【００１５】
したがって、第１のミラーによって、第１の波長の第１の光及び第１の波長よりも波長の短い第２の波長の第２の光を光記録媒体に導き、第２のミラーによって、第２の波長よりも波長の短い第３の波長の第３の光を光記録媒体に導くとともに、第１の光、第２の光及び第３の光を光検出部に導くことができる。
【００１６】
また、上記の光ピックアップ装置において、前記第１のミラーは、前記第１の光及び前記第２の光に対するＰ偏光成分の透過率が所定の値でありＳ偏光成分の透過率が略０であり、前記第３の光に対するＰ偏光成分の透過率とＳ偏光成分の透過率とがともに略１である部分透過ミラーを含み、前記第２のミラーは、前記第１の光及び前記第２の光に対するＰ偏光成分の透過率が所定の値でありＳ偏光成分の透過率が略０であり、前記第３の光に対するＰ偏光成分の透過率が所定の値でありＳ偏光成分の透過率が略０である部分透過ミラーを含むことが好ましい。
【００１７】
この構成によれば、第１のミラーにおいて、第１の光及び第２の光のＰ偏光成分の一部が透過し、Ｓ偏光成分の全部が光記録媒体へ向けて反射し、第３の光のＰ偏光成分の全部とＳ偏光成分の全部とが透過する。また、第２のミラーにおいて、第１の光及び第２の光のＰ偏光成分の一部が透過し、第３の光のＰ偏光成分の一部が透過し、Ｓ偏光成分の全部が光記録媒体に向けて反射する。
【００１８】
したがって、第１のミラーによって、第１の光及び第２の光を光記録媒体に導き、第２のミラーによって、第３の光を光記録媒体に導くとともに、第１の光、第２の光及び第３の光を光検出部に導くことができる。
【００１９】
また、上記の光ピックアップ装置において、前記光源は、第１の波長の第１の光、前記第１の波長よりも波長の短い第２の波長の第２の光、及び前記第２の波長よりも波長の短い第３の波長の第３の光を出射し、前記円偏光変換部は、前記第１の光を円偏光の第１の光に変換し、前記第２の光を円偏光の第２の光に変換し、前記第３の光を円偏光の第３の光に変換し、前記ミラーは、前記円偏光変換部によって円偏光に変換された前記第１の光の一部及び前記第２の光の一部を前記光検出部に向けて反射させるとともに、前記第１の光の残余、前記第２の光の残余及び前記円偏光変換部によって円偏光に変換された前記第３の光の全部を透過させる第１のミラーと、前記第１のミラーを透過した前記第３の光の一部を前記光検出部に向けて反射させるとともに、前記第１のミラーを透過した前記第１の光の全部及び前記第２の光の全部並びに前記第３の光の残余を光記録媒体に向けて透過させる第２のミラーとを含むことが好ましい。
【００２０】
この構成によれば、光源によって、第１の波長の第１の光、第１の波長よりも波長の短い第２の波長の第２の光、及び第２の波長よりも波長の短い第３の波長の第３の光が出射される。そして、第１の光が円偏光の第１の光に変換され、第２の光が円偏光の第２の光に変換され、第３の光が円偏光の第３の光に変換される。続いて、第１のミラーによって、円偏光に変換された第１の光の一部及び第２の光の一部が光検出部に向けて反射されるとともに、第１の光の残余、第２の光の残余及び円偏光に変換された第３の光の全部が透過される。さらに、第２のミラーによって、第１のミラーを透過した第３の光の一部が光検出部に向けて反射されるとともに、第１のミラーを透過した第１の光の全部及び第２の光の全部並びに第３の光の残余が光記録媒体に向けて透過される。
【００２１】
したがって、第１のミラーによって、第１の波長の第１の光及び第１の波長よりも波長の短い第２の波長の第２の光を光検出部に導き、第２のミラーによって、第２の波長よりも波長の短い第３の波長の第３の光を光検出部に導くとともに、第１の光、第２の光及び第３の光を光記録媒体に導くことができる。
【００２２】
また、上記の光ピックアップ装置において、前記第１のミラーは、前記第１の光及び前記第２の光に対するＰ偏光成分の反射率が略０でありＳ偏光成分の反射率が所定の値であり、前記第３の光に対するＰ偏光成分の反射率とＳ偏光成分の反射率とがともに略０である部分反射ミラーを含み、前記第２のミラーは、前記第１の光及び前記第２の光に対するＰ偏光成分の反射率が略０でありＳ偏光成分の反射率が所定の値であり、前記第３の光に対するＰ偏光成分の反射率が略０でありＳ偏光成分の反射率が所定の値である部分反射ミラーを含むことが好ましい。
【００２３】
この構成によれば、第１のミラーにおいて、第１の光及び第２の光のＰ偏光成分の一部が透過し、Ｓ偏光成分の全部が光記録媒体へ向けて反射し、第３の光のＰ偏光成分の全部とＳ偏光成分の全部とが透過する。また、第２のミラーにおいて、第１の光及び第２の光のＰ偏光成分の一部が透過し、第３の光のＰ偏光成分の一部が透過し、Ｓ偏光成分の全部が光記録媒体に向けて反射する。
【００２４】
したがって、第１のミラーによって、第１の波長の第１の光及び第１の波長よりも波長の短い第２の波長の第２の光を光検出部に導き、第２のミラーによって、第２の波長よりも波長の短い第３の波長の第３の光を光検出部に導くとともに、第１の光、第２の光及び第３の光を光記録媒体に導くことができる。
【００２５】
また、上記の光ピックアップ装置において、前記光源は、第１の波長の第１の光、前記第１の波長よりも波長の短い第２の波長の第２の光、及び前記第２の波長よりも波長の短い第３の波長の第３の光を出射し、前記円偏光変換部は、前記第１の光を円偏光の第１の光に変換し、前記第２の光を円偏光の第２の光に変換し、前記第３の光を円偏光の第３の光に変換し、前記ミラーは、前記円偏光変換部によって円偏光に変換された前記第１の光の全部、前記第２の光の全部及び前記第３の光の一部を透過させるとともに、前記第３の光の残余を光記録媒体に向けて反射させる第１のミラーと、前記第１のミラーを透過した前記第１の光の一部、前記第２の光の一部及び前記第３の光の全部を透過させるとともに、前記第１の光の残余及び前記第２の光の残余を光記録媒体に向けて反射させる第２のミラーとを含むことが好ましい。
【００２６】
この構成によれば、光源によって、第１の波長の第１の光、第１の波長よりも波長の短い第２の波長の第２の光、及び第２の波長よりも波長の短い第３の波長の第３の光が出射される。そして、第１の光が円偏光の第１の光に変換され、第２の光が円偏光の第２の光に変換され、第３の光が円偏光の第３の光に変換される。続いて、第１のミラーによって、円偏光に変換された第１の光の全部、第２の光の全部及び第３の光の一部が透過されるとともに、第３の光の残余が光記録媒体に向けて反射される。さらに、第２のミラーによって、第１のミラーを透過した第１の光の一部、第２の光の一部及び第３の光の全部が透過されるとともに、第１の光の残余及び第２の光の残余が光記録媒体に向けて反射される。
【００２７】
したがって、第１のミラーによって、第２の波長よりも波長の短い第３の波長の第３の光を光記録媒体に導き、第２のミラーによって、第１の波長の第１の光及び第１の波長よりも波長の短い第２の波長の第２の光を光記録媒体に導くとともに、第１の光、第２の光及び第３の光を光検出部に導くことができる。
【００２８】
また、上記の光ピックアップ装置において、前記第１のミラーは、前記第１の光及び前記第２の光に対するＰ偏光成分の透過率とＳ偏光成分の透過率とがともに略１であり、前記第３の光に対するＰ偏光成分の透過率が所定の値でありＳ偏光成分の透過率が略０である部分透過ミラーを含み、前記第２のミラーは、前記第１の光及び前記第２の光に対するＰ偏光成分の透過率が所定の値でありＳ偏光成分の透過率が略０であり、前記第３の光に対するＰ偏光成分の透過率が所定の値でありＳ偏光成分の透過率が略０である部分透過ミラーを含むことが好ましい。
【００２９】
この構成によれば、第１のミラーにおいて、第１の光及び第２の光のＰ偏光成分の全部とＳ偏光成分の全部とが透過し、第３の光のＰ偏光成分の一部が透過し、Ｓ偏光成分の全部が光記録媒体に向けて反射する。また、第２のミラーにおいて、第１の光及び第２の光のＰ偏光成分の一部が透過し、第３の光のＰ偏光成分の一部が透過し、Ｓ偏光成分の全部が光記録媒体に向けて反射する。
【００３０】
したがって、第１のミラーによって、第３の光を光記録媒体に導き、第２のミラーによって、第１の光及び第２の光を光記録媒体に導くとともに、第１の光、第２の光及び第３の光を光検出部に導くことができる。
【００３１】
また、上記の光ピックアップ装置において、前記光源は、第１の波長の第１の光、前記第１の波長よりも波長の短い第２の波長の第２の光、及び前記第２の波長よりも波長の短い第３の波長の第３の光を出射し、前記円偏光変換部は、前記第１の光を円偏光の第１の光に変換し、前記第２の光を円偏光の第２の光に変換し、前記第３の光を円偏光の第３の光に変換し、前記ミラーは、前記円偏光変換部によって円偏光に変換された前記第３の光の一部を前記光検出部に向けて反射させるとともに、前記円偏光変換部によって円偏光に変換された前記第１の光の全部及び前記第２の光の全部並びに前記第３の光の残余を透過させる第１のミラーと、前記第１のミラーを透過した前記第１の光の一部及び前記第２の光の一部を前記光検出部に向けて反射させるとともに、前記第１の光の残余、前記第２の光の残余及び前記第１のミラーを透過した前記第３の光の全部を光記録媒体に向けて透過させる第２のミラーとを含むことが好ましい。
【００３２】
この構成によれば、光源によって、第１の波長の第１の光、第１の波長よりも波長の短い第２の波長の第２の光、及び第２の波長よりも波長の短い第３の波長の第３の光が出射される。そして、第１の光が円偏光の第１の光に変換され、第２の光が円偏光の第２の光に変換され、第３の光が円偏光の第３の光に変換される。続いて、第１のミラーによって、円偏光に変換された第３の光の一部が光検出部に向けて反射されるとともに、円偏光に変換された第１の光の全部及び第２の光の全部並びに第３の光の残余が透過される。さらに、第２のミラーによって、第１のミラーを透過した第１の光の一部及び第２の光の一部が光検出部に向けて反射されるとともに、第１の光の残余、第２の光の残余及び第１のミラーを透過した第３の光の全部が光記録媒体に向けて透過される。
【００３３】
したがって、第１のミラーによって、第２の波長よりも波長の短い第３の波長の第３の光を光検出部に導き、第２のミラーによって、第１の波長の第１の光及び第１の波長よりも波長の短い第２の波長の第２の光を光検出部に導くとともに、第１の光、第２の光及び第３の光を光記録媒体に導くことができる。
【００３４】
また、上記の光ピックアップ装置において、前記第１のミラーは、前記第１の光及び前記第２の光に対するＰ偏光成分の反射率とＳ偏光成分の反射率とがともに略０であり、前記第３の光に対するＰ偏光成分の反射率が略０でありＳ偏光成分の反射率が所定の値である部分反射ミラーを含み、前記第２のミラーは、前記第１の光及び前記第２の光に対するＰ偏光成分の反射率が略０でありＳ偏光成分の反射率が所定の値であり、前記第３の光に対するＰ偏光成分の反射率が略０でありＳ偏光成分の反射率が所定の値である部分反射ミラーを含むことが好ましい。
【００３５】
この構成によれば、第１のミラーにおいて、第１の光及び第２の光のＰ偏光成分の全部とＳ偏光成分の全部とが透過し、第３の光のＰ偏光成分の全部が透過し、Ｓ偏光成分の一部が光検出部に向けて反射する。また、第２のミラーにおいて、第１の光及び第２の光のＰ偏光成分の全部が光記録媒体に向けて透過し、Ｓ偏光成分の一部が光検出部に向けて反射し、第３の光のＰ偏光成分の全部が光記録媒体に向けて透過する。
【００３６】
したがって、第１のミラーによって、第３の光を光検出部に導き、第２のミラーによって、第１の光及び第２の光を光検出部に導くとともに、第１の光、第２の光及び第３の光を光記録媒体に導くことができる。
【００３７】
また、上記の光ピックアップ装置において、前記光源によって出射された第１の光及び第２の光を前記第１のミラーへ向けて透過させるとともに、前記光源によって出射された第３の光を前記第１のミラーへ向けて反射させるビームスプリッタをさらに備え、前記円偏光変換部は、前記ビームスプリッタと前記第１のミラーとの間に配置されることが好ましい。
【００３８】
この構成によれば、ビームスプリッタによって、光源によって出射された第１の光及び第２の光が第１のミラーへ向けて透過されるとともに、光源によって出射された第３の光が第１のミラーへ向けて反射される。そして、円偏光変換部が、ビームスプリッタと第１のミラーとの間に配置される。したがって、第１のミラーに光が入射する前に、当該光を円偏光に変換することができる。
【００３９】
また、上記の光ピックアップ装置において、前記光検出部は、光を受光する受光面が前記光記録媒体の記録面と平行であり、前記ミラーによって導かれた光を前記光検出部に向けて反射させる反射ミラーをさらに備えることが好ましい。
【００４０】
この構成によれば、光検出部の光を受光する受光面が光記録媒体の記録面と平行であり、ミラーによって導かれた光が光検出部に向けて反射されるので、光検出部の受光面をミラーによって導かれる光の光軸に対して垂直ではなく、光記録媒体の記録面に平行となるように配置され、光ピックアップ装置を薄型化することができる。
【００４１】
また、上記の光ピックアップ装置において、前記光源は、第１の波長の第１の光、及び前記第１の波長よりも波長の短い第２の波長の第２の光を出射する第１の光源と、前記第２の波長よりも波長の短い第３の波長の第３の光を出射する第２の光源とを含み、前記第１の光源によって出射された第１の光及び第２の光を前記第１のミラーへ向けて透過させるとともに、前記第２の光源によって出射された第３の光を前記第１のミラーへ向けて反射させるビームスプリッタと、前記第１の光源によって出射された第１の光及び第２の光のＳ偏光成分を所定の割合だけ透過させる偏光スタビライザと、前記偏光スタビライザと前記ビームスプリッタとの間に配置され、前記偏光スタビライザを透過した第１の光又は第２の光を透過させるとともに、前記光記録媒体によって反射された第１の光又は第２の光を反射させる偏光ビームスプリッタとをさらに備え、前記偏光ビームスプリッタは、前記第１の光及び前記第２の光に対してはＰ偏光成分を透過させＳ偏光成分を反射させることが好ましい。
【００４２】
この構成によれば、第１の光源によって、第１の波長の第１の光、及び第１の波長よりも波長の短い第２の波長の第２の光が出射され、第２の光源によって、第２の波長よりも波長の短い第３の波長の第３の光が出射される。また、ビームスプリッタによって、第１の光源から出射された第１の光及び第２の光が第１のミラーへ向けて透過されるとともに、第２の光源から出射された第３の光が第１のミラーへ向けて反射される。さらに、偏光スタビライザによって、第１の光源から出射された第１の光及び第２の光のＳ偏光成分が所定の割合だけ透過される。そして、偏光スタビライザとビームスプリッタとの間に配置された偏光ビームスプリッタによって、偏光スタビライザを透過した第１の光又は第２の光が透過されるとともに、光記録媒体によって反射された第１の光又は第２の光が反射される。また、偏光ビームスプリッタは、第１の光及び第２の光に対してはＰ偏光成分を透過させＳ偏光成分を反射させる。
【００４３】
したがって、所定の偏光成分をカットする偏光スタビライザにより第１の光及び第２の光のＳ偏光成分が所定の割合だけ透過し、さらに、偏光ビームスプリッタにより第１の光及び第２の光のＰ偏光成分のみが透過することにより、Ｓ偏光成分の変動を確実に抑えることができ、光検出部の検出誤差を抑えることができる。
【００４４】
また、上記の光ピックアップ装置において、前記光源は、第１の波長の第１の光、及び前記第１の波長よりも波長の短い第２の波長の第２の光を出射する第１の光源と、前記第２の波長よりも波長の短い第３の波長の第３の光を出射する第２の光源とを含み、前記第１の光源によって出射された第１の光及び第２の光を前記第１のミラーへ向けて透過させるとともに、前記第２の光源によって出射された第３の光を前記第１のミラーへ向けて反射させるビームスプリッタと、前記第１の光源と前記ビームスプリッタとの間に配置され、前記第１の光源から出射した第１の光又は第２の光を透過させるとともに、前記光記録媒体によって反射された第１の光又は第２の光を反射させる偏光ビームスプリッタとをさらに備え、前記偏光ビームスプリッタは、前記第１の光及び前記第２の光に対してはＰ偏光成分を透過させＳ偏光成分を反射させる第１の光学膜と、前記第１の光に対してはＰ偏光成分を所定の透過率で透過させるとともにＳ偏光成分を透過させず、前記第２の光に対してはＰ偏光成分を透過させＳ偏光成分を反射させる第２の光学膜とを含むことが好ましい。
【００４５】
この構成によれば、第１の光源によって、第１の波長の第１の光、及び第１の波長よりも波長の短い第２の波長の第２の光が出射され、第２の光源によって、第２の波長よりも波長の短い第３の波長の第３の光が出射される。また、ビームスプリッタによって、第１の光源から出射された第１の光及び第２の光が第１のミラーへ向けて透過されるとともに、第２の光源から出射された第３の光が第１のミラーへ向けて反射される。そして、第１の光源とビームスプリッタとの間に配置された偏光ビームスプリッタによって、第１の光源から出射した第１の光又は第２の光が透過されるとともに、光記録媒体によって反射された第１の光又は第２の光が反射される。このとき、偏光ビームスプリッタの第１の光学膜は、第１の光及び第２の光に対してはＰ偏光成分を透過させＳ偏光成分を反射させる。また、偏光ビームスプリッタの第２の光学膜は、第１の光に対してはＰ偏光成分を所定の透過率で透過させるとともにＳ偏光成分を透過させず、第２の光に対してはＰ偏光成分を透過させＳ偏光成分を反射させる。
【００４６】
したがって、偏光ビームスプリッタの第１の光学膜により第１の光及び第２の光のＰ偏光成分のみが透過し、さらに、偏光ビームスプリッタの第２の光学膜により第１の光のＰ偏光成分のみが所定の透過率で透過し、第２の光のＰ偏光成分のみが透過することにより、Ｓ偏光成分の変動を確実に抑えることができ、光検出部の検出誤差を抑えることができる。
【００４７】
本発明の他の局面に係る光記録媒体駆動装置は、光記録媒体に対して情報の記録及び／又は再生を行う及び光記録媒体駆動装置であって、前記光記録媒体を回転させるスピンドルモータと、上記の光ピックアップ装置であり、前記光記録媒体で反射された反射光を受光して光強度に対応した電気信号に変換する信号検出部を含む光ピックアップ装置と、前記光記録媒体の情報トラックに対して前記光ピックアップ装置を少なくとも径方向に駆動するアクチュエータと、前記光ピックアップ装置の前記信号検出部から受け取った電気信号からトラッキング誤差信号を生成する信号処理部と、前記スピンドルモータの駆動を制御するとともに、前記信号処理部から受け取った前記トラッキング誤差信号に基づき、前記アクチュエータの駆動を制御して前記光記録媒体に対するトラッキングサーボを行う制御部とを備える。
【００４８】
この構成によれば、スピンドルモータによって、光記録媒体を回転させ、光ピックアップ装置に含まれる信号検出部によって、光記録媒体で反射された反射光が受光されて光強度に対応した電気信号に変換される。そして、アクチュエータによって、光記録媒体の情報トラックに対して光ピックアップ装置が少なくとも径方向に駆動される。続いて、信号処理部によって、光ピックアップ装置の信号検出部から受け取った電気信号からトラッキング誤差信号が生成され、制御部によって、スピンドルモータの駆動が制御されるとともに、信号処理部から受け取ったトラッキング誤差信号に基づき、アクチュエータの駆動が制御されて光記録媒体に対するトラッキングサーボが行われる。
【００４９】
したがって、光記録媒体駆動装置は、上記のいずれかに記載の光ピックアップ装置が有する作用を備えたものになり、光記録媒体に対する正確なトラッキングサーボを行うことができる。
【発明の効果】
【００５０】
本発明によれば、光源から出射された光が円偏光に変換され、円偏光に変換された光が、光検出部と光記録媒体とに分かれて導かれるので、光検出部に導く偏光方向の入射光成分が半分になり、その偏光方向に対するミラーの反射率又は透過率を下げることなく光検出部に導く光量を半分にすることができる。そのため、光検出部による検出量のばらつきを抑えつつ、光記録媒体に導く光量を増加させることができ、正確に光源のパワー制御を行うことができる。
【発明を実施するための最良の形態】
【００５１】
以下添付図面を参照しながら、本発明の実施の形態について説明する。尚、以下の実施の形態は、本発明を具体化した一例であって、本発明の技術的範囲を限定する性格のものではない。
【００５２】
（第１の実施形態）
図１は、第１の実施形態に係る光ピックアップ装置の構成を示す図である。図１に示す光ピックアップ装置は、第１の光源１、ビームスプリッタ２、第１の信号検出器３、リレーレンズ４、第２の光源５、ビームスプリッタ７、第２の信号検出器８、ビームスプリッタ９、広帯域１／４波長板１０、コリメートレンズ１１、第１の立上ミラー１２、第２の立上ミラー１３、第１の対物レンズ１４、第２の対物レンズ１５、集光レンズ１６、光検出器１７及びパワー制御部１８を備える。
【００５３】
第１の光源１は、第１の波長λ１の第１のレーザ光を出射するとともに、第１の波長λ１よりも波長の短い第２の波長λ２の第２のレーザ光を出射する。第１のレーザ光は、光記録媒体１９に情報を記録する又は光記録媒体１９から情報を再生するための赤外光である。第２のレーザ光は、光記録媒体１９に情報を記録する又は光記録媒体１９から情報を再生するための赤色光である。赤外光である第１の波長λ１は、例えば７８０ｎｍであり、赤色光である第２の波長λ２は、例えば６６０ｎｍである。光記録媒体１９がＣＤである場合、赤外光である第１のレーザ光が用いられ、光記録媒体１９がＤＶＤである場合、赤色光である第２のレーザ光が用いられる。なお、第１の波長λ１は、７８０ｎｍに限定されず、７８０ｎｍ〜８２０ｎｍの波長帯域を有する赤外光を用いてもよい。また、第２の波長λ２は、６６０ｎｍに限定されず、６３０ｎｍ〜６８０ｎｍの波長帯域を有する赤色光を用いてもよい。
【００５４】
ビームスプリッタ２は、第１の光源１によって出射された第１のレーザ光又は第２のレーザ光を透過させるとともに、光記録媒体１９によって反射した反射光を第１の信号検出器３へ導く。
【００５５】
第１の信号検出器３は、光記録媒体１９によって反射した反射光を受光して電気信号に変換し、変換した電気信号に基づいてフォーカス、トラッキング及びＲＦ等の各種信号を検出する。リレーレンズ４は、第１の光源１によって出射された第１のレーザ光又は第２のレーザ光を中継する。
【００５６】
第２の光源５は、第２の波長λ２よりも波長の短い第３の波長λ３の第３のレーザ光を出射する。第３のレーザ光は、光記録媒体１９に情報を記録する又は光記録媒体１９から情報を再生するための青色光である。青色光である第３の波長λ３は、例えば４０５ｎｍである。光記録媒体１９がＢＤ（Ｂｌｕ−ｒａｙディスク）である場合、青色光である第３のレーザ光が用いられる。なお、第３の波長λ３は、４０５ｎｍに限定されず、３９０ｎｍ〜４１５ｎｍの波長帯域を有する青色光を用いてもよい。
【００５７】
ビームスプリッタ７は、第２の光源５によって出射された第３のレーザ光を透過させるとともに、光記録媒体１９によって反射した反射光を第２の信号検出器８へ導く。第２の信号検出器８は、光記録媒体１９によって反射した反射光を受光して電気信号に変換し、変換した電気信号に基づいてフォーカス、トラッキング及びＲＦ等の各種信号を検出する。
【００５８】
ビームスプリッタ９は、第１の光源１によって出射された第１のレーザ光又は第２のレーザ光を第１の立上ミラー１２へ向けて透過させるとともに、第２の光源５によって出射された第３のレーザ光を第１の立上ミラー１２へ向けて反射させる。また、ビームスプリッタ９は、第１のレーザ光又は第２のレーザ光が光記録媒体１９によって反射した反射光をリレーレンズ４へ向けて透過させるとともに、第３のレーザ光が光記録媒体１９によって反射した反射光を第２の光源５へ向けて反射させる。
【００５９】
広帯域１／４波長板１０は、第１の光源１又は第２の光源５によって出射された第１のレーザ光、第２のレーザ光又は第３のレーザ光を直線偏光から円偏光に変換するとともに、光記録媒体１９によって反射した反射光を円偏光から直線偏光に変換する。すなわち、広帯域１／４波長板１０は、通過するレーザ光に１／４波長＝９０°の位相差を生じさせ、直線偏光を円偏光に、円偏光を直線偏光に変換する。広帯域１／４波長板１０は、赤外光（λ１＝７８０ｎｍ）、赤色光（λ２＝６６０ｎｍ）及び青色光（λ３＝４０５ｎｍ）の３つの波長のレーザ光を円偏光に変換する。
【００６０】
コリメートレンズ１１は、広帯域１／４波長板１０によって円偏光に変換された第１のレーザ光、第２のレーザ光又は第３のレーザ光を平行光に変換する。
【００６１】
第１の立上ミラー１２は、部分透過ミラーであり、広帯域１／４波長板１０によって円偏光に変換された第１のレーザ光の一部、第２のレーザ光の一部及び第３のレーザ光の全部を透過させるとともに、第１のレーザ光の残余及び第２のレーザ光の残余を光記録媒体１９に向けて反射させる。例えば、円偏光のレーザ光は、電界ベクトルの方向が図１紙面内にあるＰ偏光成分と、電界ベクトルの方向が図１紙面に垂直なＳ偏光成分とを含む。第１の立上ミラー１２は、第１のレーザ光及び第２のレーザ光に対するＰ偏光成分の透過率Ｔｐが所定の値でありＳ偏光成分の透過率Ｔｓが０（０パーセント）であり、第３のレーザ光に対するＰ偏光成分の透過率ＴｐとＳ偏光成分の透過率Ｔｓとがともに１（１００パーセント）である。なお、本実施の形態における第１の立上ミラー１２は、第１のレーザ光及び第２のレーザ光に対する透過率Ｔｓを０パーセントとしているが、±２０パーセントの誤差が許容される。また、第１の立上ミラー１２は、第３のレーザ光に対する透過率Ｔｐ及び透過率Ｔｓを１００パーセントとしているが、±２０パーセントの誤差が許容される。
【００６２】
第２の立上ミラー１３は、部分透過ミラーであり、第１の立上ミラー１２を透過した第１のレーザ光の全部、第２のレーザ光の全部及び第３のレーザ光の一部を光検出器１７に向けて透過させるとともに、第３のレーザ光の残余を光記録媒体１９に向けて反射させる。例えば、第２の立上ミラー１３は、第１のレーザ光及び第２のレーザ光に対するＰ偏光成分の透過率Ｔｐが所定の値でありＳ偏光成分の透過率Ｔｓが０（０パーセント）であり、第３のレーザ光に対するＰ偏光成分の透過率Ｔｐが所定の値でありＳ偏光成分の透過率Ｔｓが０（０パーセント）である。なお、本実施の形態における第２の立上ミラー１３は、第１のレーザ光及び第２のレーザ光に対する透過率Ｔｓと、第３のレーザ光に対する透過率Ｔｓとを０パーセントとしているが、±２０パーセントの誤差が許容される。
【００６３】
なお、ここでは、各立上ミラーに入射する光を円偏光としているが、厳密な円偏光である必要はなく、光記録媒体１９に導く光量増加の効果は減るものの、楕円偏光であっても実現可能である。本明細書及び特許請求の範囲では、そのような概ね円偏光といえる楕円偏光（楕円の長径／短径を示す強度比が２程度）を円偏光と呼ぶこととする。
【００６４】
第１の対物レンズ１４は、第１の立上ミラー１２によって反射された第１のレーザ光又は第２のレーザ光を光記録媒体１９の記録面に集光させる。第２の対物レンズ１５は、第２の立上ミラー１３によって反射された第３のレーザ光を光記録媒体１９の記録面に集光させる。集光レンズ１６は、第１の立上ミラー１２及び第２の立上ミラー１３を透過した第１のレーザ光、第２のレーザ光及び第３のレーザ光を光検出器１７の受光面に集光させる。
【００６５】
光検出器１７は、第１の立上ミラー１２及び第２の立上ミラー１３を透過した第１のレーザ光、第２のレーザ光又は第３のレーザ光を受光し、第１の光源１から出射する第１のレーザ光及び第２のレーザ光並びに第２の光源５から出射する第３のレーザ光のパワーを制御するために、受光したレーザ光の光強度に応じた電気信号をパワー制御部１８へ出力する。
【００６６】
パワー制御部１８は、光検出器１７によって出力された信号に基づいて、第１の光源１又は第２の光源５から出射される第１のレーザ光、第２のレーザ光又は第３のレーザ光のパワーを制御する。
【００６７】
また、本実施形態において、第１の光源１及び第２の光源５が光源の一例に相当し、光検出器１７が光検出部の一例に相当し、広帯域１／４波長板１０が円偏光変換部の一例に相当し、第１の立上ミラー１２及び第２の立上ミラー１３がミラーの一例に相当する。さらに、第１の光源１が第１の光源の一例に相当し、第２の光源５が第２の光源の一例に相当し、第１の立上ミラー１２が第１のミラーの一例に相当し、第２の立上ミラー１３が第２のミラーの一例に相当し、ビームスプリッタ９がビームスプリッタの一例に相当する。
【００６８】
ここで、第１の実施形態に係る光ピックアップ装置の動作について図１を用いて説明する。まず、第１の光源１からレーザ光を出射する場合のレーザパワー制御について説明する。なお、赤外光である第１のレーザ光と、赤色光である第２のレーザ光とは、同じ動作であるので、以下の説明では第１のレーザ光のみについて説明する。
【００６９】
まず、第１の光源１は、第１の波長λ１の第１のレーザ光を出射する。なお、第１の波長λ１は、例えば７８０ｎｍである。第１の光源１によって出射された第１のレーザ光は、ビームスプリッタ２へ入射する。ビームスプリッタ２は、第１のレーザ光を透過させる。ビームスプリッタ２を透過した第１のレーザ光は、リレーレンズ４によってビームスプリッタ９に伝達される。
【００７０】
ビームスプリッタ９は、入射した第１のレーザ光を透過させる。ビームスプリッタ９を透過した第１のレーザ光は、広帯域１／４波長板１０に入射する。広帯域１／４波長板１０は、入射した第１のレーザ光を直線偏光から円偏光に変換する。広帯域１／４波長板１０によって円偏光に変換された第１のレーザ光は、コリメートレンズ１１に入射する。コリメートレンズ１１は、入射した第１のレーザ光を平行光に変換する。コリメートレンズ１１によって平行光に変換された第１のレーザ光は、第１の立上ミラー１２に入射する。
【００７１】
第１の立上ミラー１２は、入射した第１のレーザ光の一部を第２の立上ミラー１３へ向けて透過させ、第１のレーザ光の残余を第１の対物レンズ１４へ向けて反射させる。図２は、第１の実施形態における第１の立上ミラーに入射するレーザ光の波長と、第１の立上ミラーの透過率との関係を示す図である。図２において、横軸はレーザ光の波長を表し、縦軸は透過率を表している。また、図２において、破線はＰ偏光成分の透過率Ｔｐを表し、実線はＳ偏光成分の透過率Ｔｓを表している。
【００７２】
図２に示すように、第１の立上ミラー１２は、第１の波長λ１（７８０ｎｍ）の第１のレーザ光に対するＰ偏光成分の透過率Ｔｐが約１０パーセントであり、Ｓ偏光成分の透過率Ｔｓが約０パーセントである特性を有している。また、第１の立上ミラー１２は、第２の波長λ２（６６０ｎｍ）の第２のレーザ光に対するＰ偏光成分の透過率Ｔｐが約１０パーセントであり、Ｓ偏光成分の透過率Ｔｓが約０パーセントである特性を有している。
【００７３】
図１に戻って、第１の立上ミラー１２を透過した第１のレーザ光の一部は、第２の立上ミラー１３に入射する。第２の立上ミラー１３は、入射した第１のレーザ光の一部を集光レンズ１６へ向けて透過させる。図３は、第１の実施形態における第２の立上ミラーに入射するレーザ光の波長と、第２の立上ミラーの透過率との関係を示す図である。図３において、横軸はレーザ光の波長を表し、縦軸は透過率を表している。また、図３において、破線はＰ偏光成分の透過率Ｔｐを表し、実線はＳ偏光成分の透過率Ｔｓを表している。
【００７４】
図３に示すように、第２の立上ミラー１３は、第１の波長λ１（７８０ｎｍ）の第１のレーザ光に対するＰ偏光成分の透過率Ｔｐが約３０パーセントであり、Ｓ偏光成分の透過率Ｔｓが約０パーセントである特性を有している。また、第２の立上ミラー１３は、第２の波長λ２（６６０ｎｍ）の第２のレーザ光に対するＰ偏光成分の透過率Ｔｐが約３０パーセントであり、Ｓ偏光成分の透過率Ｔｓが約０パーセントである特性を有している。
【００７５】
なお、第２の立上ミラー１３を透過しなかった第１のレーザ光の残余は、第２の対物レンズ１５へ向けて反射されることとなる。しかしながら、第２の対物レンズ１５は、第１のレーザ光を光記録媒体１９の記録面に集光させることはない。そのため、第２の対物レンズ１５へ向けて反射された第１のレーザ光の振る舞いを無視することができる。
【００７６】
また、本実施形態において、第２の立上ミラー１３は、第１の立上ミラー１２を透過した第１のレーザ光の一部だけを透過させるのではなく、第１の立上ミラー１２を透過した第１のレーザ光の全部を透過させてもよい。
【００７７】
図１に戻って、集光レンズ１６は、第２の立上ミラー１３を透過した第１のレーザ光の一部を光検出器１７に集光させる。光検出器１７は、第１のレーザ光の一部を受光し、受光した第１のレーザ光の光強度に応じた電気信号（光強度信号）をパワー制御部１８へ出力する。パワー制御部１８は、光検出器１７によって出力された光強度信号に応じて第１の光源１のレーザ出力を制御する。
【００７８】
一方、第１の立上ミラー１２によって反射された第１のレーザ光は、第１の対物レンズ１４に入射する。第１の対物レンズ１４は、第１のレーザ光を光記録媒体１９の記録面に集光させる。そして、光記録媒体１９の記録面で反射した反射光は、第１の対物レンズ１４を再度通過して、第１の立上ミラー１２に再度入射する。第１の立上ミラー１２は、反射光をコリメートレンズ１１へ向けて反射させる。コリメートレンズ１１を通過した反射光は、広帯域１／４波長板１０によって円偏光から直線偏光に変換され、ビームスプリッタ９に入射する。ビームスプリッタ９を透過した反射光は、リレーレンズ４を通過し、ビームスプリッタ２に入射する。ビームスプリッタ２は、第１の信号検出器３へ向けて反射光を反射させる。ビームスプリッタ２によって反射された反射光は、第１の信号検出器３に入射する。第１の信号検出器３は、光記録媒体１９によって反射した反射光を受光して電気信号に変換し、変換した電気信号に基づいてフォーカス、トラッキング及びＲＦ等の各種信号を検出する。そして、検出されたこれらの信号に基づいてフォーカスやトラッキング等の制御が行われる。
【００７９】
次に、第２の光源５からレーザ光を出射する場合のレーザパワー制御について説明する。第２の光源５は、第３の波長λ３の第３のレーザ光を出射する。なお、第３の波長λ３は、例えば４０５ｎｍである。第２の光源５によって出射された第３のレーザ光は、ビームスプリッタ７に入射する。ビームスプリッタ７は、第２の光源５によって出射された第３のレーザ光を透過させる。ビームスプリッタ７を透過した第３のレーザ光は、ビームスプリッタ９に入射する。
【００８０】
ビームスプリッタ９は、入射した第３のレーザ光をコリメートレンズ１１へ向けて反射させる。ビームスプリッタ９を反射した第３のレーザ光は、広帯域１／４波長板１０に入射する。広帯域１／４波長板１０は、入射した第３のレーザ光を直線偏光から円偏光に変換する。広帯域１／４波長板１０によって円偏光に変換された第３のレーザ光は、コリメートレンズ１１に入射する。コリメートレンズ１１は、入射した第３のレーザ光を平行光に変換する。コリメートレンズ１１によって平行光に変換された第３のレーザ光は、第１の立上ミラー１２に入射する。
【００８１】
第１の立上ミラー１２は、入射した第３のレーザ光の全部を第２の立上ミラー１３へ向けて透過させる。図２に示すように、第１の立上ミラー１２は、第３の波長λ３（４０５ｎｍ）の第３のレーザ光に対するＰ偏光成分の透過率Ｔｐが１００パーセントであり、Ｓ偏光成分の透過率Ｔｓが１００パーセントである特性を有している。
【００８２】
図１に戻って、第１の立上ミラー１２を透過した第３のレーザ光は、第２の立上ミラー１３に入射する。第２の立上ミラー１３は、入射した第３のレーザ光の一部を集光レンズ１６へ向けて透過させ、第３のレーザ光の残余を第２の対物レンズ１５へ向けて反射させる。図３に示すように、第２の立上ミラー１３は、第３の波長λ３（４０５ｎｍ）の第３のレーザ光に対するＰ偏光成分の透過率Ｔｐが約７パーセントであり、Ｓ偏光成分の透過率Ｔｓが約０パーセントである特性を有している。
【００８３】
図１に戻って、集光レンズ１６は、第２の立上ミラー１３を透過した第３のレーザ光の一部を光検出器１７に集光させる。光検出器１７は、第３のレーザ光の一部を受光し、受光した第３のレーザ光の光強度に応じた電気信号（光強度信号）をパワー制御部１８へ出力する。パワー制御部１８は、光検出器１７によって出力された光強度信号に応じて第２の光源５のレーザ出力を制御する。
【００８４】
一方、第２の立上ミラー１３によって反射された第３のレーザ光は、第２の対物レンズ１５に入射する。第２の対物レンズ１５は、第３のレーザ光を光記録媒体１９の記録面に集光させる。そして、光記録媒体１９の記録面で反射した反射光は、第２の対物レンズ１５を再度通過して、第２の立上ミラー１３に再度入射する。第２の立上ミラー１３は、反射光を第１の立上ミラー１２へ向けて反射させる。第１の立上ミラー１２を透過した反射光は、コリメートレンズ１１に入射する。コリメートレンズ１１を通過した反射光は、広帯域１／４波長板１０によって円偏光から直線偏光に変換され、ビームスプリッタ９に入射する。ビームスプリッタ９は、入射した反射光を第２の光源５へ向けて反射させる。ビームスプリッタ９を反射した反射光は、ビームスプリッタ７に入射する。ビームスプリッタ７は、第２の信号検出器８へ向けて反射光を反射させる。ビームスプリッタ７によって反射された反射光は、第２の信号検出器８に入射する。第２の信号検出器８は、光記録媒体１９によって反射した反射光を受光して電気信号に変換し、変換した電気信号に基づいてフォーカス、トラッキング及びＲＦ等の各種信号を検出する。そして、検出されたこれらの信号に基づいてフォーカスやトラッキング等の制御が行われる。
【００８５】
このように、第１の光源１又は第２の光源５から所定の波長の光が出射され、第１の光源１又は第２の光源５によって出射されたレーザ光が円偏光の光に変換される。そして、円偏光のレーザ光の一部が光検出器１７へ導かれるとともに、レーザ光の残余が光記録媒体１９へ導かれる。
【００８６】
第１又は第２の立上ミラーに入射する光は円偏光であり、それらミラーのＳ偏光成分の透過率Ｔｓは概ね０となっているため、ミラーを透過する光はＰ偏光成分のみである。したがって、ミラーに入射した光と透過する光との強度比は、Ｐ偏光成分の透過率Ｔｐの半分となる。つまり、従来と同じ透過率Ｔｐの値とすることで光学薄膜特性のばらつきや波長による透過率Ｔｐの変化を従来と同等にしたまま、光検出器１７に導く光量を半減させることが可能となる。これにより、従来よりも光記録媒体１９に導く光量を増加させながらも、各光源のパワー制御を高精度で行うことが可能となる。
【００８７】
また、第１の光源１によって、第１の波長λ１の第１のレーザ光が出射されるとともに第１の波長λ１よりも波長の短い第２の波長λ２の第２のレーザ光が出射され、第２の光源５によって、第２の波長λ２よりも波長の短い第３の波長λ３の第３のレーザ光が出射される。そして、第１のレーザ光が円偏光の第１のレーザ光に変換され、第２のレーザ光が円偏光の第２のレーザ光に変換され、第３のレーザ光が円偏光の第３のレーザ光に変換される。続いて、第１の立上ミラー１２によって、円偏光に変換された第１のレーザ光の一部、第２のレーザ光の一部及び第３のレーザ光の全部が透過されるとともに、第１のレーザ光の残余及び第２のレーザ光の残余が光記録媒体１９に向けて反射される。さらに、第２の立上ミラー１３によって、第１の立上ミラー１２を透過した第１のレーザ光の全部、第２のレーザ光の全部及び第３のレーザ光の一部が光検出器１７に向けて透過されるとともに、第３のレーザ光の残余が光記録媒体１９に向けて反射される。
【００８８】
このとき、第１の立上ミラー１２において、第１のレーザ光及び第２のレーザ光のＰ偏光成分の一部が透過し、Ｓ偏光成分の全部が光記録媒体１９へ向けて反射し、第３のレーザ光のＰ偏光成分の全部とＳ偏光成分の全部とが透過する。また、第２の立上ミラー１３において、第１のレーザ光及び第２のレーザ光のＰ偏光成分の一部が透過し、第３のレーザ光のＰ偏光成分の一部が透過し、Ｓ偏光成分の全部が光記録媒体１９に向けて反射する。
【００８９】
したがって、第１の立上ミラー１２によって、第１の波長λ１の第１のレーザ光及び第１の波長λ１よりも波長の短い第２の波長λ２の第２のレーザ光を光記録媒体１９に導き、第２の立上ミラー１３によって、第２の波長λ２よりも波長の短い第３の波長λ３の第３のレーザ光を光記録媒体１９に導くとともに、第１のレーザ光、第２のレーザ光及び第３のレーザ光を光検出器１７に導くことができる。
【００９０】
また、本実施形態における光ピックアップ装置では、ビームスプリッタ９によって、第１の光源１によって出射された第１のレーザ光及び第２のレーザ光が第１の立上ミラー１２へ向けて透過されるとともに、第２の光源５によって出射された第３のレーザ光が第１の立上ミラー１２へ向けて反射される。そして、広帯域１／４波長板１０が、ビームスプリッタ９と第１の立上ミラー１２との間に配置される。したがって、第１の立上ミラー１２にレーザ光が入射する前に、当該レーザ光を円偏光に変換することができる。
【００９１】
なお、本実施形態において、第１の立上ミラー１２及び第２の立上ミラー１３は、部分透過ミラーで構成されるが、本発明は特にこれに限定されず、第１の立上ミラー１２及び第２の立上ミラー１３を部分反射ミラーで構成してもよい。図４は、第１の実施形態の変形例に係る光ピックアップ装置の構成を示す図である。なお、図４では、図１の光ピックアップ装置と同じ構成については、同じ符号を付して説明を省略し、異なる構成についてのみ説明する。
【００９２】
第１の立上ミラー１２ａは、部分反射ミラーであり、広帯域１／４波長板１０によって円偏光に変換された第１のレーザ光の一部及び第２のレーザ光の一部を第１の光検出器１７ａに向けて反射させるとともに、第１のレーザ光の残余、第２のレーザ光の残余及び広帯域１／４波長板１０によって円偏光に変換された第３のレーザ光の全部を光記録媒体１９に向けて透過させる。
【００９３】
第１の立上ミラー１２ａは、第１のレーザ光及び第２のレーザ光に対するＰ偏光成分の反射率Ｒｐが０（０パーセント）でありＳ偏光成分の反射率Ｒｓが所定の値であり、第３のレーザ光に対するＰ偏光成分の反射率ＲｐとＳ偏光成分の反射率Ｒｓとがともに０（０パーセント）である。なお、本変形例における第１の立上ミラー１２ａは、第１のレーザ光及び第２のレーザ光に対する反射率Ｒｐと、第３のレーザ光に対する反射率Ｒｐ及び反射率Ｒｓとを０パーセントとしているが、±２０パーセントの誤差が許容される。
【００９４】
第２の立上ミラー１３ａは、部分反射ミラーであり、第１の立上ミラー１２ａを透過した第３のレーザ光の一部を第２の光検出器１７ｂに向けて反射させるとともに、第１の立上ミラー１２ａを透過した第１のレーザ光の全部及び第２のレーザ光の全部並びに第３のレーザ光の残余を光記録媒体１９に向けて透過させる。
【００９５】
第２の立上ミラー１３ａは、第１のレーザ光及び第２のレーザ光に対するＰ偏光成分の反射率Ｒｐが０（０パーセント）でありＳ偏光成分の反射率Ｒｓが所定の値であり、第３のレーザ光に対するＰ偏光成分の反射率Ｒｐが０（０パーセント）でありＳ偏光成分の反射率Ｒｓが所定の値である。なお、本変形例における第２の立上ミラー１３ａは、第１のレーザ光及び第２のレーザ光に対する反射率Ｒｐと、第３のレーザ光に対する反射率Ｒｐとを０パーセントとしているが、±２０パーセントの誤差が許容される。
【００９６】
第１の対物レンズ１４ａは、第１の立上ミラー１２ａ及び第２の立上ミラー１３ａを透過した第１のレーザ光又は第２のレーザ光を光記録媒体１９の記録面に集光させる。第２の対物レンズ１５ａは、第１の立上ミラー１２ａ及び第２の立上ミラー１３ａを透過した第３のレーザ光を光記録媒体１９の記録面に集光させる。なお、第１の対物レンズ１４ａ及び第２の対物レンズ１５ａは、図略のモータにより光軸に垂直な方向に移動可能である。モータは、第１のレーザ光又は第２のレーザ光を光記録媒体１９の記録面に集光させる場合、第１の対物レンズ１４ａを光軸上に移動させ、第３のレーザ光を光記録媒体１９の記録面に集光させる場合、第２の対物レンズ１５ａを光軸上に移動させる。
【００９７】
集光レンズ１６ａは、第１の立上ミラー１２ａを反射した第１のレーザ光及び第２のレーザ光を第１の光検出器１７ａの受光面に集光させる。集光レンズ１６ｂは、第２の立上ミラー１３ａを反射した第３のレーザ光を第２の光検出器１７ｂの受光面に集光させる。
【００９８】
なお、本変形例では、第１の光検出器１７ａと第２の光検出器１７ｂとの２つの光検出器を設けているが、１つの光検出器で第１のレーザ光、第２のレーザ光及び第３のレーザ光を検出してもよい。
【００９９】
このように、第１の光源１によって、第１の波長λ１の第１のレーザ光が出射されるとともに第１の波長λ１よりも波長の短い第２の波長λ２の第２のレーザ光が出射され、第２の光源５によって、第２の波長λ２よりも波長の短い第３の波長λ３の第３のレーザ光が出射される。そして、第１のレーザ光が円偏光の第１のレーザ光に変換され、第２のレーザ光が円偏光の第２のレーザ光に変換され、第３のレーザ光が円偏光の第３のレーザ光に変換される。続いて、第１の立上ミラー１２ａによって、円偏光に変換された第１のレーザ光の一部及び第２のレーザ光の一部が第１の光検出器１７ａに向けて反射されるとともに、第１のレーザ光の残余、第２のレーザ光の残余及び円偏光に変換された第３のレーザ光の全部が透過される。さらに、第２の立上ミラー１３ａによって、第１の立上ミラー１２ａを透過した第３のレーザ光の一部が第２の光検出器１７ｂに向けて反射されるとともに、第１の立上ミラー１２ａを透過した第１のレーザ光の全部及び第２のレーザ光の全部並びに第３のレーザ光の残余が光記録媒体１９に向けて透過される。
【０１００】
また、第１の立上ミラー１２ａにおいて、第１のレーザ光及び第２のレーザ光のＰ偏光成分の全部が光記録媒体１９へ向けて透過され、Ｓ偏光成分の一部が第１の光検出器１７ａへ向けて反射され、第３のレーザ光のＰ偏光成分の全部とＳ偏光成分の全部とが光記録媒体１９へ向けて透過される。また、第２の立上ミラー１３ａにおいて、第１のレーザ光及び第２のレーザ光のＰ偏光成分の全部が透過され、第３のレーザ光のＰ偏光成分の全部が光記録媒体１９へ向けて透過され、Ｓ偏光成分の一部が第２の光検出器１７ｂに向けて反射される。
【０１０１】
したがって、第１の立上ミラー１２ａによって、第１の波長λ１の第１のレーザ光及び第１の波長λ１よりも波長の短い第２の波長λ２の第２のレーザ光を第１の光検出器１７ａに導き、第２の立上ミラー１３ａによって、第２の波長λ２よりも波長の短い第３の波長λ３の第３のレーザ光を第２の光検出器１７ｂに導くとともに、第１のレーザ光、第２のレーザ光及び第３のレーザ光を光記録媒体１９に導くことができる。
【０１０２】
また、本実施形態では、３つの波長のレーザ光を円偏光に変換する広帯域１／４波長板をビームスプリッタ９とコリメートレンズ１１との間に設けているが、本発明は特にこれに限定されず、ビームスプリッタ９の透過／反射面に広帯域１／４波長板と同じ機能を有するようなコーティングを施してもよい。
【０１０３】
さらに、本実施の形態において、第１の立上ミラー１２は、ＤＶＤ用の赤色光及びＣＤ用の赤外光を第１の対物レンズ１４に向けて反射させ、第２の立上ミラー１３は、ＢＤ用の青色光を第２の対物レンズ１５に向けて反射させているが、本発明は特にこれに限定されない。例えば、第１の立上ミラー１２は、ＤＶＤ用の赤色光、ＣＤ用の赤外光及びＨＤ  ＤＶＤ用の青色光を第１の対物レンズ１４に向けて反射させ、第２の立上ミラー１３は、ＢＤ用の青色光を第２の対物レンズ１５に向けて反射させてもよい。また、例えば、第１の立上ミラー１２は、ＤＶＤ用の赤色光及びＣＤ用の赤外光を第１の対物レンズ１４に向けて反射させ、第２の立上ミラー１３は、ＢＤ用の青色光及びＨＤ  ＤＶＤ用の青色光を第２の対物レンズ１５に向けて反射させてもよい。
【０１０４】
さらにまた、本実施の形態における光ピックアップ装置は、赤色光及び赤外光を第１の対物レンズ１４に向けて反射させるための第１の立上ミラー１２と、青色光を第２の対物レンズ１５に向けて反射させるための第２の立上ミラー１３とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０１０５】
（第２の実施形態）
次に、第２の実施形態に係る光ピックアップ装置について説明する。第１の実施形態では、第１の立上ミラーが第１のレーザ光及び第２のレーザ光を光記録媒体１９へ向けて反射させ、第２の立上ミラーが第３のレーザ光を光記録媒体１９へ向けて反射させている。これに対し、第２の実施形態では、第１の立上ミラーが第３のレーザ光を光記録媒体１９へ向けて反射させ、第２の立上ミラーが第１のレーザ光及び第２のレーザ光を光記録媒体１９へ向けて反射させる。
【０１０６】
図５は、第２の実施形態に係る光ピックアップ装置の構成を示す図である。なお、図５では、第１の実施形態に係る光ピックアップ装置と同じ構成については、同じ符号を付して説明を省略し、異なる構成についてのみ説明する。
【０１０７】
第１の立上ミラー１２’は、部分透過ミラーであり、広帯域１／４波長板１０によって円偏光に変換された第１のレーザ光の全部、第２のレーザ光の全部及び第３のレーザ光の一部を透過させるとともに、第３のレーザ光の残余を光記録媒体１９に向けて反射させる。例えば、第１の立上ミラー１２’は、第１のレーザ光及び第２のレーザ光に対するＰ偏光成分の透過率ＴｐとＳ偏光成分の透過率Ｔｓとがともに１（１００パーセント）であり、第３のレーザ光に対するＰ偏光成分の透過率Ｔｐが所定の値でありＳ偏光成分の透過率Ｔｓが０（０パーセント）である。なお、本実施の形態における第１の立上ミラー１２’は、第１のレーザ光及び第２のレーザ光に対する透過率Ｔｐ及び透過率Ｔｓを１００パーセントとしているが、±２０パーセントの誤差が許容される。また、第１の立上ミラー１２’は、第３のレーザ光に対する透過率Ｔｓを０パーセントとしているが、±２０パーセントの誤差が許容される。
【０１０８】
第２の立上ミラー１３’は、部分透過ミラーであり、第１の立上ミラー１２’を透過した第１のレーザ光の一部、第２のレーザ光の一部及び第３のレーザ光の一部又は全部を光検出器１７に向けて透過させるとともに、第１のレーザ光の残余及び第２のレーザ光の残余を光記録媒体１９に向けて反射させる。例えば、第２の立上ミラー１３’は、第１のレーザ光及び第２のレーザ光に対するＰ偏光成分の透過率Ｔｐが所定の値でありＳ偏光成分の透過率Ｔｓが０（０パーセント）であり、第３のレーザ光に対するＰ偏光成分の透過率Ｔｐが所定の値でありＳ偏光成分の透過率Ｔｓが０（０パーセント）である。なお、本実施の形態における第２の立上ミラー１３’は、第１のレーザ光及び第２のレーザ光に対する透過率Ｔｓと、第３のレーザ光に対する透過率Ｔｓとを０パーセントとしているが、±２０パーセントの誤差が許容される。
【０１０９】
第１の対物レンズ１４’は、第２の立上ミラー１３’によって反射された第１のレーザ光又は第２のレーザ光を光記録媒体１９の記録面に集光させる。第２の対物レンズ１５’は、第１の立上ミラー１２’によって反射された第３のレーザ光を光記録媒体１９の記録面に集光させる。
【０１１０】
ここで、第２の実施形態に係る光ピックアップ装置の動作について図５を用いて説明する。まず、第１の光源１からレーザ光を出射する場合のレーザパワー制御について説明する。なお、赤外光である第１のレーザ光と、赤色光である第２のレーザ光とは、同じ動作であるので、以下の説明では第１のレーザ光のみについて説明する。また、第１のレーザ光が第１の立上ミラー１２’に入射するまでの動作は、第１の実施形態において第１のレーザ光が第１の立上ミラー１２に入射するまでの動作と同じであるので説明を省略する。
【０１１１】
第１の立上ミラー１２’は、入射した第１のレーザ光の全部を第２の立上ミラー１３’へ向けて透過させる。第１の立上ミラー１２’を透過した第１のレーザ光は、第２の立上ミラー１３’に入射する。第２の立上ミラー１３’は、入射した第１のレーザ光の一部を集光レンズ１６へ向けて透過させ、第１のレーザ光の残余を第１の対物レンズ１４’へ向けて反射させる。
【０１１２】
集光レンズ１６は、第２の立上ミラー１３’を透過した第１のレーザ光の一部を光検出器１７に集光させる。光検出器１７は、第１のレーザ光の一部を受光し、受光した第１のレーザ光の光強度に応じた電気信号（光強度信号）をパワー制御部１８へ出力する。パワー制御部１８は、光検出器１７によって出力された光強度信号に応じて第１の光源１のレーザ出力を制御する。
【０１１３】
一方、第２の立上ミラー１３’によって反射された第１のレーザ光は、第１の対物レンズ１４’に入射する。第１の対物レンズ１４’は、第１のレーザ光を光記録媒体１９の記録面に集光させる。そして、光記録媒体１９の記録面で反射した反射光は、第１の対物レンズ１４’を再度通過して、第２の立上ミラー１３’に再度入射する。第２の立上ミラー１３’は、反射光を第１の立上ミラー１２’へ向けて反射させる。第１の立上ミラー１２’を透過した反射光は、コリメートレンズ１１に入射する。
【０１１４】
なお、第１のレーザ光の光記録媒体１９による反射光がコリメートレンズ１１に入射した後の動作は、第１の実施形態において反射光がコリメートレンズ１１に入射した後の動作と同じであるので説明を省略する。
【０１１５】
次に、第２の光源５からレーザ光を出射する場合のレーザパワー制御について説明する。なお、第３のレーザ光が第１の立上ミラー１２’に入射するまでの動作は、第１の実施形態において第３のレーザ光が第１の立上ミラー１２に入射するまでの動作と同じであるので説明を省略する。
【０１１６】
第１の立上ミラー１２’は、入射した第３のレーザ光の一部を第２の立上ミラー１３’へ向けて透過させ、第３のレーザ光の残余を第２の対物レンズ１５’へ向けて反射させる。第１の立上ミラー１２’を透過した第３のレーザ光の一部は、第２の立上ミラー１３’に入射する。第２の立上ミラー１３’は、入射した第３のレーザ光の一部を集光レンズ１６へ向けて透過させる。
【０１１７】
なお、第２の立上ミラー１３’を透過しなかった第３のレーザ光の残余は、第１の対物レンズ１４’へ向けて反射されることとなる。しかしながら、第１の対物レンズ１４’は、第３のレーザ光を光記録媒体１９の記録面に集光させることはない。そのため、第１の対物レンズ１４’へ向けて反射された第３のレーザ光は、光記録媒体１９で反射することはない。
【０１１８】
また、本実施形態において、第２の立上ミラー１３’は、第１の立上ミラー１２’を透過した第３のレーザ光の一部だけを透過させるのではなく、第１の立上ミラー１２’を透過した第３のレーザ光の全部を透過させてもよい。
【０１１９】
集光レンズ１６は、第２の立上ミラー１３’を透過した第３のレーザ光の一部を光検出器１７に集光させる。光検出器１７は、第３のレーザ光の一部を受光し、受光した第３のレーザ光の光強度に応じた電気信号（光強度信号）をパワー制御部１８へ出力する。パワー制御部１８は、光検出器１７によって出力された光強度信号に応じて第２の光源５のレーザ出力を制御する。
【０１２０】
一方、第１の立上ミラー１２’によって反射された第３のレーザ光は、第２の対物レンズ１５’に入射する。第２の対物レンズ１５’は、第３のレーザ光を光記録媒体１９の記録面に集光させる。そして、光記録媒体１９の記録面で反射した反射光は、第２の対物レンズ１５’を再度通過して、第１の立上ミラー１２’に再度入射する。第１の立上ミラー１２’は、反射光をコリメートレンズ１１へ向けて反射させる。
【０１２１】
なお、第３のレーザ光の光記録媒体１９による反射光がコリメートレンズ１１に入射した後の動作は、第１の実施形態において反射光がコリメートレンズ１１に入射した後の動作と同じであるので説明を省略する。
【０１２２】
このように、第１の光源１によって、第１の波長λ１の第１のレーザ光が出射されるとともに第１の波長λ１よりも波長の短い第２の波長λ２の第２のレーザ光が出射され、第２の光源５によって、第２の波長λ２よりも波長の短い第３の波長λ３の第３のレーザ光が出射される。そして、第１のレーザ光が円偏光の第１のレーザ光に変換され、第２のレーザ光が円偏光の第２のレーザ光に変換され、第３のレーザ光が円偏光の第３のレーザ光に変換される。続いて、第１の立上ミラー１２’によって、円偏光に変換された第１のレーザ光の全部、第２のレーザ光の全部及び第３のレーザ光の一部が透過されるとともに、第３のレーザ光の残余が光記録媒体１９に向けて反射される。さらに、第２の立上ミラー１３’によって、第１の立上ミラー１２’を透過した第１のレーザ光の一部、第２のレーザ光の一部及び第３のレーザ光の全部が透過されるとともに、第１のレーザ光の残余及び第２のレーザ光の残余が光記録媒体１９に向けて反射される。
【０１２３】
また、第１の立上ミラー１２’において、第１のレーザ光及び第２のレーザ光のＰ偏光成分の全部とＳ偏光成分の全部とが透過し、第３のレーザ光のＰ偏光成分の一部が透過し、Ｓ偏光成分の全部が光記録媒体１９に向けて反射する。また、第２の立上ミラー１３’において、第１のレーザ光及び第２のレーザ光のＰ偏光成分の一部が透過し、第３のレーザ光のＰ偏光成分の一部が透過し、Ｓ偏光成分の全部が光記録媒体１９に向けて反射する。
【０１２４】
したがって、第１の立上ミラー１２’によって、第２の波長λ２よりも波長の短い第３の波長λ３の第３のレーザ光を光記録媒体１９に導き、第２の立上ミラー１３’によって、第１の波長λ１の第１のレーザ光及び第１の波長λ１よりも波長の短い第２の波長λ２の第２のレーザ光を光記録媒体１９に導くとともに、第１のレーザ光、第２のレーザ光及び第３のレーザ光を光検出器１７に導くことができる。
【０１２５】
なお、本実施形態において、第１の立上ミラー１２’及び第２の立上ミラー１３’は、部分透過ミラーで構成されるが、本発明は特にこれに限定されず、第１の立上ミラー１２’及び第２の立上ミラー１３’を部分反射ミラーで構成してもよい。図６は、第２の実施形態の変形例に係る光ピックアップ装置の構成を示す図である。なお、図６では、図５の光ピックアップ装置と同じ構成については、同じ符号を付して説明を省略し、異なる構成についてのみ説明する。
【０１２６】
第１の立上ミラー１２ａ’は、部分反射ミラーであり、広帯域１／４波長板１０によって円偏光に変換された第３のレーザ光の一部を第２の光検出器１７ｂ’に向けて反射させるとともに、広帯域１／４波長板１０によって円偏光に変換された第１のレーザ光の全部及び第２のレーザ光の全部並びに第３のレーザ光の残余を光記録媒体１９に向けて透過させる。
【０１２７】
第１の立上ミラー１２ａ’は、第１のレーザ光及び第２のレーザ光に対するＰ偏光成分の反射率ＲｐとＳ偏光成分の反射率Ｒｓとがともに０（０パーセント）であり、第３のレーザ光に対するＰ偏光成分の反射率Ｒｐが０（０パーセント）でありＳ偏光成分の反射率Ｒｓが所定の値である。なお、本変形例における第１の立上ミラー１２ａ’は、第１のレーザ光及び第２のレーザ光に対する反射率Ｒｐ及び反射率Ｒｓと、第３のレーザ光に対する反射率Ｒｐとを０パーセントとしているが、±２０パーセントの誤差が許容される。
【０１２８】
第２の立上ミラー１３ａ’は、部分反射ミラーであり、第１の立上ミラー１２ａ’を透過した第１のレーザ光の一部及び第２のレーザ光の一部を第１の光検出器１７ａ’に向けて反射させるとともに、第１のレーザ光の残余、第２のレーザ光の残余及び第１の立上ミラー１２ａ’を透過した第３のレーザ光の全部を光記録媒体１９に向けて透過させる。
【０１２９】
第２の立上ミラー１３ａ’は、第１のレーザ光及び第２のレーザ光に対するＰ偏光成分の反射率Ｒｐが０（０パーセント）でありＳ偏光成分の反射率Ｒｓが所定の値であり、第３のレーザ光に対するＰ偏光成分の反射率Ｒｐが０（０パーセント）でありＳ偏光成分の反射率Ｒｓが所定の値である。なお、本実施の形態における第２の立上ミラー１３ａ’は、第１のレーザ光及び第２のレーザ光に対する反射率Ｒｐと、第３のレーザ光に対する反射率Ｒｐとを０パーセントとしているが、±２０パーセントの誤差が許容される。
【０１３０】
また、第１の対物レンズ１４’の位置に第１のレーザ光及び第２のレーザ光を検出する第１の光検出器１７ａ’を配置するとともに、第２の対物レンズ１５’の位置に第３のレーザ光を検出する第２の光検出器１７ｂ’を配置する。そして、集光レンズ１６及び光検出器１７に換えて、第１のレーザ光及び第２のレーザ光を集光させる第１の対物レンズ１４ａを配置するとともに、第３のレーザ光を集光させる第２の対物レンズ１５ａを配置する。
【０１３１】
第１の対物レンズ１４ａは、第１の立上ミラー１２ａ’及び第２の立上ミラー１３ａ’を透過した第１のレーザ光又は第２のレーザ光を光記録媒体１９の記録面に集光させる。第２の対物レンズ１５ａは、第１の立上ミラー１２ａ’及び第２の立上ミラー１３ａ’を透過した第３のレーザ光を光記録媒体１９の記録面に集光させる。なお、第１の対物レンズ１４ａ及び第２の対物レンズ１５ａは、図略のモータにより光軸に垂直な方向に移動可能である。モータは、第１のレーザ光又は第２のレーザ光を光記録媒体１９の記録面に集光させる場合、第１の対物レンズ１４ａを光軸上に移動させ、第３のレーザ光を光記録媒体１９の記録面に集光させる場合、第２の対物レンズ１５ａを光軸上に移動させる。
【０１３２】
集光レンズ１６ａ’は、第２の立上ミラー１３ａ’を反射した第１のレーザ光及び第２のレーザ光を第１の光検出器１７ａ’の受光面に集光させる。集光レンズ１６ｂ’は、第１の立上ミラー１２ａ’を反射した第３のレーザ光を第２の光検出器１７ｂ’の受光面に集光させる。
【０１３３】
なお、本変形例では、第１の光検出器１７ａ’と第２の光検出器１７ｂ’との２つの光検出器を設けているが、１つの光検出器で第１のレーザ光、第２のレーザ光及び第３のレーザ光を検出してもよい。
【０１３４】
このように、第１の光源１によって、第１の波長λ１の第１のレーザ光が出射されるとともに第１の波長λ１よりも波長の短い第２の波長λ２の第２のレーザ光が出射され、第２の光源５によって、第２の波長λ２よりも波長の短い第３の波長λ３の第３のレーザ光が出射される。そして、第１のレーザ光が円偏光の第１のレーザ光に変換され、第２のレーザ光が円偏光の第２のレーザ光に変換され、第３のレーザ光が円偏光の第３のレーザ光に変換される。続いて、第１の立上ミラー１２ａ’によって、円偏光に変換された第３のレーザ光の一部が第２の光検出器１７ｂ’に向けて反射されるとともに、円偏光に変換された第１のレーザ光の全部及び第２のレーザ光の全部並びに第３のレーザ光の残余が透過される。さらに、第２の立上ミラー１３ａ’によって、第１の立上ミラー１２ａ’を透過した第１のレーザ光の一部及び第２のレーザ光の一部が第１の光検出器１７ａ’に向けて反射されるとともに、第１のレーザ光の残余、第２のレーザ光の残余及び第１の立上ミラー１２ａ’を透過した第３のレーザ光の全部が光記録媒体１９に向けて透過される。
【０１３５】
また、第１の立上ミラー１２ａ’において、第１のレーザ光及び第２のレーザ光のＰ偏光成分の全部とＳ偏光成分の全部とが透過され、第３のレーザ光のＰ偏光成分の全部が透過され、Ｓ偏光成分の一部が第２の光検出器１７ｂ’に向けて反射される。また、第２の立上ミラー１３ａ’において、第１のレーザ光及び第２のレーザ光のＰ偏光成分の全部が光記録媒体１９に向けて透過され、Ｓ偏光成分の一部が第１の光検出器１７ａ’に向けて反射され、第３のレーザ光のＰ偏光成分の全部が光記録媒体１９に向けて透過される。
【０１３６】
したがって、第１の立上ミラー１２ａ’によって、第２の波長λ２よりも波長の短い第３の波長λ３の第３のレーザ光を第２の光検出器１７ｂ’に導き、第２の立上ミラー１３ａ’によって、第１の波長λ１の第１のレーザ光及び第１の波長λ１よりも波長の短い第２の波長λ２の第２のレーザ光を第１の光検出器１７ａ’に導くとともに、第１のレーザ光、第２のレーザ光及び第３のレーザ光を光記録媒体１９に導くことができる。
【０１３７】
さらに、本実施の形態において、第１の立上ミラー１２’は、ＢＤ用の青色光を第２の対物レンズ１５’に向けて反射させ、第２の立上ミラー１３’は、ＤＶＤ用の赤色光及びＣＤ用の赤外光を第１の対物レンズ１４’に向けて反射させているが、本発明は特にこれに限定されない。例えば、第１の立上ミラー１２’は、ＢＤ用の青色光を第２の対物レンズ１５’に向けて反射させ、第２の立上ミラー１３’は、ＤＶＤ用の赤色光、ＣＤ用の赤外光及びＨＤ  ＤＶＤ用の青色光を第１の対物レンズ１４’に向けて反射させてもよい。また、例えば、第１の立上ミラー１２’は、ＢＤ用の青色光及びＨＤ  ＤＶＤ用の青色光を第２の対物レンズ１５’に向けて反射させ、第２の立上ミラー１３’は、ＤＶＤ用の赤色光及びＣＤ用の赤外光を第１の対物レンズ１４’に向けて反射させてもよい。
【０１３８】
さらにまた、本実施の形態における光ピックアップ装置は、青色光を第２の対物レンズ１５’に向けて反射させるための第１の立上ミラー１２’と、赤色光及び赤外光を第１の対物レンズ１４’に向けて反射させるための第２の立上ミラー１３’とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０１３９】
（第３の実施形態）
次に、第３の実施形態に係る光ピックアップ装置について説明する。第１の実施形態に係る光ピックアップ装置では、光検出器１７が第１の光源１〜第２の立上ミラー１３と同一平面上であり、かつ受光面が光軸に対して垂直となる位置に配置されている。これに対し、第３の実施形態に係る光ピックアップ装置では、受光面が第１の光源１〜第２の立上ミラー１３の配置される面と平行となる位置に光検出器１７が配置される。
【０１４０】
図７は、第３の実施形態に係る光ピックアップ装置の構成を示す図である。なお、図７では、第１の実施形態に係る光ピックアップ装置と同じ構成については、同じ符号を付して説明を省略し、異なる構成についてのみ説明する。
【０１４１】
反射ミラー２０は、第１の立上ミラー１２及び第２の立上ミラー１３を透過した第１のレーザ光、第２のレーザ光及び第３のレーザ光を光検出器１７の受光面に向けて反射させるとともに、各レーザ光を光検出器１７の受光面に集光させる。
【０１４２】
光検出器１７は、受光面が第１の光源１〜第２の立上ミラー１３の配置される面と平行となる位置に配置され、反射ミラー２０によって反射された第１のレーザ光、第２のレーザ光及び第３のレーザ光を受光する。
【０１４３】
なお、第３の実施形態に係る光ピックアップ装置の動作については、第１のレーザ光、第２のレーザ光及び第３のレーザ光が反射ミラー２０によって反射される以外は第１の実施形態に係る光ピックアップ装置の動作と同じであるので説明を省略する。
【０１４４】
このように、光検出器１７のレーザ光を受光する受光面が光記録媒体１９の記録面と平行であり、第２の立上ミラー１３によって導かれたレーザ光が光検出器１７に向けて反射されるので、光検出器１７の受光面を第２の立上ミラー１３によって導かれるレーザ光の光軸に対して垂直ではなく、光記録媒体１９の記録面に平行となるように配置され、光ピックアップ装置を薄型化することができる。
【０１４５】
なお、本実施の形態において、第１の立上ミラー１２は、ＤＶＤ用の赤色光及びＣＤ用の赤外光を第１の対物レンズ１４に向けて反射させ、第２の立上ミラー１３は、ＢＤ用の青色光を第２の対物レンズ１５に向けて反射させているが、本発明は特にこれに限定されない。例えば、第１の立上ミラー１２は、ＤＶＤ用の赤色光、ＣＤ用の赤外光及びＨＤ  ＤＶＤ用の青色光を第１の対物レンズ１４に向けて反射させ、第２の立上ミラー１３は、ＢＤ用の青色光を第２の対物レンズ１５に向けて反射させてもよい。また、例えば、第１の立上ミラー１２は、ＤＶＤ用の赤色光及びＣＤ用の赤外光を第１の対物レンズ１４に向けて反射させ、第２の立上ミラー１３は、ＢＤ用の青色光及びＨＤ  ＤＶＤ用の青色光を第２の対物レンズ１５に向けて反射させてもよい。
【０１４６】
さらにまた、本実施の形態における光ピックアップ装置は、赤色光及び赤外光を第１の対物レンズ１４に向けて反射させるための第１の立上ミラー１２と、青色光を第２の対物レンズ１５に向けて反射させるための第２の立上ミラー１３とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０１４７】
（第４の実施形態）
次に、第４の実施形態に係る光ピックアップ装置について説明する。第１の実施形態では、第１のレーザ光、第２のレーザ光及び第３のレーザ光を円偏光に変換する広帯域１／４波長板１０をビームスプリッタ９とコリメートレンズ１１との間に配置している。これに対し、第４の実施形態では、第１のレーザ光及び第２のレーザ光を円偏光に変換する１／４波長板と、第３のレーザ光を円偏光に変換する１／４波長板とを別々に設ける。
【０１４８】
図８は、第４の実施形態に係る光ピックアップ装置の構成を示す図である。なお、図８では、第１の実施形態に係る光ピックアップ装置と同じ構成については、同じ符号を付して説明を省略し、異なる構成についてのみ説明する。
【０１４９】
第１の１／４波長板２１は、リレーレンズ４とビームスプリッタ９との間に配置され、波長が互いに異なる２つのレーザ光、すなわち第１のレーザ光及び第２のレーザ光を円偏光に変換する。第２の１／４波長板２２は、ビームスプリッタ７とビームスプリッタ９との間に配置され、第３のレーザ光を円偏光に変換する。
【０１５０】
ここで、第４の実施形態に係る光ピックアップ装置の動作について説明する。まず、第１の光源１からレーザ光を出射する場合のレーザパワー制御について説明する。なお、第１のレーザ光又は第２のレーザ光がリレーレンズ４に入射するまでの動作は、第１の実施形態において第１のレーザ光がリレーレンズ４に入射するまでの動作と同じであるので説明を省略する。
【０１５１】
リレーレンズ４を通過した第１のレーザ光又は第２のレーザ光は、第１の１／４波長板２１に入射する。第１の１／４波長板２１は、入射した第１のレーザ光又は第２のレーザ光を直線偏光から円偏光に変換する。第１の１／４波長板２１によって円偏光に変換された第１のレーザ光又は第２のレーザ光は、ビームスプリッタ９に入射する。ビームスプリッタ９は、入射した第１のレーザ光又は第２のレーザ光を透過させる。ビームスプリッタ９を透過した第１のレーザ光又は第２のレーザ光は、コリメートレンズ１１に入射する。
【０１５２】
第１のレーザ光又は第２のレーザ光がコリメートレンズ１１に入射した後の動作は、第１の実施形態において第１のレーザ光がコリメートレンズ１１に入射した後の動作と同じであるので説明を省略する。光記録媒体１９の記録面によって反射した反射光は、ビームスプリッタ９を透過し、第１の１／４波長板２１に入射する。第１の１／４波長板２１は、反射光を円偏光から直線偏光に変換する。直線偏光に変換された反射光は、リレーレンズ４に入射する。反射光がリレーレンズ４に入射した後の動作は、第１の実施形態において反射光がリレーレンズ４に入射した後の動作と同じであるので説明を省略する。
【０１５３】
続いて、第２の光源５からレーザ光を出射する場合のレーザパワー制御について説明する。なお、第３のレーザ光がビームスプリッタ７を透過するまでの動作は、第１の実施形態において第３のレーザ光がビームスプリッタ７を透過するまでの動作と同じであるので説明を省略する。
【０１５４】
ビームスプリッタ７を透過した第３のレーザ光は、第２の１／４波長板２２に入射する。第２の１／４波長板２２は、入射した第３のレーザ光を直線偏光から円偏光に変換する。第２の１／４波長板２２によって円偏光に変換された第３のレーザ光は、ビームスプリッタ９に入射する。ビームスプリッタ９は、入射した第３のレーザ光をコリメートレンズ１１へ向けて反射させる。ビームスプリッタ９を反射した第３のレーザ光は、コリメートレンズ１１に入射する。
【０１５５】
第３のレーザ光がコリメートレンズ１１に入射した後の動作は、第１の実施形態において第３のレーザ光がコリメートレンズ１１に入射した後の動作と同じであるので説明を省略する。光記録媒体１９の記録面によって反射した反射光は、ビームスプリッタ９を反射し、第２の１／４波長板２２に入射する。第２の１／４波長板２２は、反射光を円偏光から直線偏光に変換する。直線偏光に変換された反射光は、ビームスプリッタ７に入射する。反射光がビームスプリッタ７に入射した後の動作は、第１の実施形態において反射光がビームスプリッタ７に入射した後の動作と同じであるので説明を省略する。
【０１５６】
このように、第１のレーザ光及び第２のレーザ光を円偏光に変換する第１の１／４波長板２１と、第３のレーザ光を円偏光に変換する第２の１／４波長板２２とが別々に配置されるので、第１のレーザ光、第２のレーザ光及び第３のレーザ光を円偏光に変換する広帯域１／４波長板を使用するよりも安価に光ピックアップ装置を製造することができる。
【０１５７】
なお、本実施の形態において、第１の立上ミラー１２は、ＤＶＤ用の赤色光及びＣＤ用の赤外光を第１の対物レンズ１４に向けて反射させ、第２の立上ミラー１３は、ＢＤ用の青色光を第２の対物レンズ１５に向けて反射させているが、本発明は特にこれに限定されない。例えば、第１の立上ミラー１２は、ＤＶＤ用の赤色光、ＣＤ用の赤外光及びＨＤ  ＤＶＤ用の青色光を第１の対物レンズ１４に向けて反射させ、第２の立上ミラー１３は、ＢＤ用の青色光を第２の対物レンズ１５に向けて反射させてもよい。また、例えば、第１の立上ミラー１２は、ＤＶＤ用の赤色光及びＣＤ用の赤外光を第１の対物レンズ１４に向けて反射させ、第２の立上ミラー１３は、ＢＤ用の青色光及びＨＤ  ＤＶＤ用の青色光を第２の対物レンズ１５に向けて反射させてもよい。
【０１５８】
さらにまた、本実施の形態における光ピックアップ装置は、赤色光及び赤外光を第１の対物レンズ１４に向けて反射させるための第１の立上ミラー１２と、青色光を第２の対物レンズ１５に向けて反射させるための第２の立上ミラー１３とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０１５９】
（第５の実施形態）
次に、第５の実施形態に係る光ピックアップ装置について説明する。第１の実施形態における光ピックアップ装置は、２つの光源と２つの立上ミラーとを備えているが、第５の実施形態における光ピックアップ装置は、１つの光源と１つの立上ミラーとを備える。
【０１６０】
図９は、第５の実施形態に係る光ピックアップ装置の構成を示す図である。図９に示す光ピックアップ装置は、第２の光源５、ビームスプリッタ７、第２の信号検出器８、コリメートレンズ１１、第２の対物レンズ１５、集光レンズ１６、光検出器１７、パワー制御部１８、１／４波長板２３及び立上ミラー２４を備える。なお、図９では、第１の実施形態に係る光ピックアップ装置と同じ構成については、同じ符号を付して説明を省略し、異なる構成についてのみ説明する。
【０１６１】
１／４波長板２３は、第３のレーザ光を直線偏光から円偏光に変換する。立上ミラー２４は、部分透過ミラーであり、第３のレーザ光の一部を光検出器１７に向けて透過させるとともに、第３のレーザ光の残余を光記録媒体１９に向けて反射させる。例えば、立上ミラー２４は、第３のレーザ光に対するＰ偏光成分の透過率ＴｐがＳ偏光成分の透過率Ｔｓよりも大きくなるように設計されている。
【０１６２】
ここで、第５の実施形態に係る光ピックアップ装置の動作について説明する。なお、第３のレーザ光がビームスプリッタ７を透過するまでの動作は、第１の実施形態において第３のレーザ光がビームスプリッタ７を透過するまでの動作と同じであるので説明を省略する。
【０１６３】
ビームスプリッタ７を透過した第３のレーザ光は、１／４波長板２３に入射する。１／４波長板２３は、入射した第３のレーザ光を直線偏光から円偏光に変換する。１／４波長板２３によって円偏光に変換された第３のレーザ光は、コリメートレンズ１１に入射する。コリメートレンズ１１は、入射した第３のレーザ光を平行光に変換する。コリメートレンズ１１によって平行光に変換された第３のレーザ光は、立上ミラー２４に入射する。
【０１６４】
立上ミラー２４は、入射した第３のレーザ光の一部を集光レンズ１６へ向けて透過させ、第３のレーザ光の残余を第２の対物レンズ１５へ向けて反射させる。図１０は、第５の実施形態における立上ミラーに入射するレーザ光の波長と、立上ミラーの透過率との関係を示す図である。図１０において、横軸はレーザ光の波長を表し、縦軸は透過率を表している。また、図１０において、破線はＰ偏光成分の透過率Ｔｐを表し、実線はＳ偏光成分の透過率Ｔｓを表している。図１０に示すように、立上ミラー２４は、第３の波長λ３（４０５ｎｍ）の第３のレーザ光に対するＰ偏光成分の透過率Ｔｐが７パーセントであり、Ｓ偏光成分の透過率Ｔｓが０パーセントである特性を有している。なお、本実施形態では、Ｐ偏光成分の透過率Ｔｐを０．０７（７パーセント）とし、Ｓ偏光成分の透過率Ｔｓを０（０パーセント）としているが、Ｐ偏光成分の透過率Ｔｐを０．１（１０パーセント）とし、Ｓ偏光成分の透過率Ｔｓを０（０パーセント）としてもよい。
【０１６５】
図９に戻って、集光レンズ１６は、立上ミラー２４を透過した第３のレーザ光の一部を光検出器１７に集光させる。光検出器１７は、第３のレーザ光の一部を受光し、受光した第３のレーザ光の光強度に応じた電気信号（光強度信号）をパワー制御部１８へ出力する。パワー制御部１８は、光検出器１７によって出力された光強度信号に応じて第２の光源５のレーザ出力を制御する。
【０１６６】
一方、立上ミラー２４によって反射された第３のレーザ光は、第２の対物レンズ１５に入射する。第２の対物レンズ１５は、第３のレーザ光を光記録媒体１９の記録面に集光させる。そして、光記録媒体１９の記録面で反射した反射光は、第２の対物レンズ１５を再度通過して、立上ミラー２４に再度入射する。立上ミラー２４は、反射光をコリメートレンズ１１へ向けて反射させる。コリメートレンズ１１を通過した反射光は、１／４波長板２３によって円偏光から直線偏光に変換され、ビームスプリッタ７に入射する。ビームスプリッタ７は、第２の信号検出器８に向けて反射光を反射させる。ビームスプリッタ７によって反射された反射光は、第２の信号検出器８に入射する。第２の信号検出器８は、光記録媒体１９によって反射した反射光を受光して電気信号に変換し、変換した電気信号に基づいてフォーカス、トラッキング及びＲＦ等の各種信号を検出する。そして、検出されたこれらの信号に基づいてフォーカスやトラッキング等の制御が行われる。
【０１６７】
このように、部分透過ミラーである立上ミラー２４によって、円偏光に変換された第３のレーザ光が光検出器１７へ向けて透過されるとともに光記録媒体１９へ向けて反射される。そして、立上ミラー２４のＰ偏光成分の透過率ＴｐがＳ偏光成分の透過率Ｔｓよりも大きくなっている。したがって、Ｐ偏光成分のレーザ光をＳ偏光成分のレーザ光よりも多く透過させることができ、Ｐ偏光成分のレーザ光を光検出器１７へ導くことができる。
【０１６８】
なお、本実施形態では、青色光である第３のレーザ光を出射する第２の光源５を用いているが、本発明は特にこれに限定されず、赤外光である第１のレーザ光及び赤色光である第２のレーザ光を出射する第１の光源１を用いてもよい。
【０１６９】
また、本実施形態において、立上ミラー２４は、部分透過ミラーで構成されるが、本発明は特にこれに限定されず、立上ミラー２４を部分反射ミラーで構成してもよい。図１１は、第５の実施形態の変形例に係る光ピックアップ装置の構成を示す図である。なお、図１１では、図９の光ピックアップ装置と同じ構成については、同じ符号を付して説明を省略し、異なる構成についてのみ説明する。
【０１７０】
立上ミラー２４ａは、部分反射ミラーであり、第３のレーザ光の一部を光検出器１７に向けて反射させるとともに、第３のレーザ光の残余を光記録媒体１９に向けて透過させる。立上ミラー２４ａは、第３のレーザ光に対するＳ偏光成分の反射率ＲｓがＰ偏光成分の反射率Ｒｐよりも大きくなるように設計される。具体的には、Ｓ偏光成分の反射率Ｒｓを例えば０．１（１０パーセント）とし、Ｐ偏光成分の反射率Ｒｐを例えば０（０パーセント）とする。
【０１７１】
第２の対物レンズ１５は、立上ミラー２４ａを透過した第３のレーザ光を光記録媒体１９の記録面に集光させる。集光レンズ１６は、立上ミラー２４ａを反射した第３のレーザ光を光検出器１７の受光面に集光させる。
【０１７２】
このように、部分反射ミラーである立上ミラー２４ａによって、円偏光に変換されたレーザ光が光検出器１７へ向けて反射されるとともに光記録媒体１９へ向けて透過される。そして、立上ミラー２４ａのＳ偏光成分の反射率ＲｓがＰ偏光成分の反射率Ｒｐよりも大きくなっている。したがって、Ｓ偏光成分のレーザ光をＰ偏光成分のレーザ光よりも多く反射させることができ、Ｓ偏光成分のレーザ光を光検出器１７へ導くことができる。
【０１７３】
（第６の実施形態）
次に、第６の実施形態に係る光ピックアップ装置について説明する。第６の実施形態では、装置内の温度を測定する温度センサをさらに備え、パワー制御部は、温度センサによって検出された温度に応じて光源のパワーを補正する。
【０１７４】
図１２は、第６の実施形態に係る光ピックアップ装置の構成を示す図である。なお、図１２では、第１の実施形態に係る光ピックアップ装置と同じ構成については、同じ符号を付して説明を省略し、異なる構成についてのみ説明する。
【０１７５】
第６の実施形態に係る光ピックアップ装置は、第１の実施形態の構成に加えて温度センサ２５をさらに備える。温度センサ２５は、光ピックアップ装置内の温度を測定し、測定した温度をパワー制御部１８へ出力する。
【０１７６】
パワー制御部１８は、温度センサ２５によって測定された温度に基づいて、第１の光源１及び第２の光源５から出射するレーザ光のレーザ出力を補正する。具体的には、温度毎に補正係数が予め決められており、パワー制御部１８は、温度毎の補正係数を予め記憶している。そして、パワー制御部１８は、温度センサ２５によって測定された温度に対応する補正係数を読み出し、補正係数をレーザ出力値に乗算することにより、第１の光源１及び第２の光源５から出射するレーザ光のレーザ出力を補正する。
【０１７７】
このように、温度センサ２５によって測定された温度に基づいて、第１の光源１及び第２の光源５から出射するレーザ光のレーザ出力が補正されるので、温度変化に対する光検出器１７の受光量の変化を抑えることができる。
【０１７８】
なお、本実施の形態において、第１の立上ミラー１２は、ＤＶＤ用の赤色光及びＣＤ用の赤外光を第１の対物レンズ１４に向けて反射させ、第２の立上ミラー１３は、ＢＤ用の青色光を第２の対物レンズ１５に向けて反射させているが、本発明は特にこれに限定されない。例えば、第１の立上ミラー１２は、ＤＶＤ用の赤色光、ＣＤ用の赤外光及びＨＤ  ＤＶＤ用の青色光を第１の対物レンズ１４に向けて反射させ、第２の立上ミラー１３は、ＢＤ用の青色光を第２の対物レンズ１５に向けて反射させてもよい。また、例えば、第１の立上ミラー１２は、ＤＶＤ用の赤色光及びＣＤ用の赤外光を第１の対物レンズ１４に向けて反射させ、第２の立上ミラー１３は、ＢＤ用の青色光及びＨＤ  ＤＶＤ用の青色光を第２の対物レンズ１５に向けて反射させてもよい。
【０１７９】
さらにまた、本実施の形態における光ピックアップ装置は、赤色光及び赤外光を第１の対物レンズ１４に向けて反射させるための第１の立上ミラー１２と、青色光を第２の対物レンズ１５に向けて反射させるための第２の立上ミラー１３とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０１８０】
（第７の実施形態）
次に、第７の実施形態に係る光ピックアップ装置について説明する。温度変化等により光源から出射したレーザ光の偏光角が変動し、光検出器における検出誤差が生じる虞がある。
【０１８１】
例えば、第１の実施形態のビームスプリッタ２において、第１のレーザ光に対するＰ偏光成分の透過率Ｔｐを８７％とし、Ｓ偏光成分の透過率Ｔｓを８７％とし、第２のレーザ光に対するＰ偏光成分の透過率Ｔｐを９９％とし、Ｓ偏光成分の透過率Ｔｓを１〜３％とする。この場合、第１のレーザ光は、楕円偏光となり、透過後のＳ偏光成分が変動する虞がある。また、第２のレーザ光は、Ｐ偏光成分だけでなくＳ偏光成分も透過するため、透過後のＳ偏光成分が変動する虞がある。
【０１８２】
出射光に対するＳ偏光成分の光検出器における受光量は、ＣＤ用の第１のレーザ光の場合４０％以下となり、ＤＶＤ用の第２のレーザ光の場合１５％以下となり、ＢＤ用の第３のレーザ光の場合５％以下となる。このように、第１のレーザ光及び第２のレーザ光のＳ偏光成分の光検出器における受光量は大きいので、Ｓ偏光成分が変動することによる光検出器での検出誤差が問題となる。
【０１８３】
そこで、第７の実施形態では、Ｐ偏光成分とＳ偏光成分とを分離する偏光ビームスプリッタを設けることにより、レーザ光の偏光角の変動を抑え、光検出器における検出誤差を低下させる。
【０１８４】
図１３は、第７の実施形態に係る光ピックアップ装置の構成を示す図である。なお、図１３では、第１の実施形態に係る光ピックアップ装置と同じ構成については、同じ符号を付して説明を省略し、異なる構成についてのみ説明する。
【０１８５】
第７の実施形態に係る光ピックアップ装置は、第１の実施形態のビームスプリッタ２に替えて、偏光スタビライザ２８と偏光ビームスプリッタ２９とを備える。
【０１８６】
偏光スタビライザ２８は、第１の光源１によって出射された第１のレーザ光及び第２のレーザ光のＳ偏光成分を所定の割合（例えば、１／１０）だけ透過させる。なお、偏光スタビライザ２８は、１／２波長板であってもよい。
【０１８７】
偏光ビームスプリッタ２９は、偏光スタビライザ２８とビームスプリッタ９との間に配置され、偏光スタビライザ２８を透過した第１のレーザ光又は第２のレーザ光を透過させるとともに、光記録媒体１９によって反射された第１のレーザ光又は第２のレーザ光を反射させる。具体的に、偏光ビームスプリッタ２９は、第１のレーザ光及び第２のレーザ光に対してはＰ偏光成分を透過させＳ偏光成分を反射させる。
【０１８８】
第１の光源１を出射した第１のレーザ光又は第２のレーザ光は、偏光スタビライザ２８に入射する。このとき、第１のレーザ光又は第２のレーザ光は、偏光スタビライザ２８によりＰ偏光成分及び１／１０のＳ偏光成分が透過し、さらに、偏光ビームスプリッタ２９によりＰ偏光成分のみが透過する。
【０１８９】
一方、光記録媒体１９によって反射された第１のレーザ光又は第２のレーザ光は、偏光ビームスプリッタ２９によりＳ偏光成分のみが反射し、第１の信号検出器３に入射する。
【０１９０】
この場合、出射光に対するＳ偏光成分の光検出器１７における受光量は、ＣＤ用の第１のレーザ光の場合８〜１１％となり、ＤＶＤ用の第２のレーザ光の場合８〜１１％以上となり、ＢＤ用の第３のレーザ光の場合５％となる。したがって、第１のレーザ光及び第２のレーザ光のＳ偏光成分の光検出器１７における受光量は減少し、Ｓ偏光成分が変動することによる光検出器１７での検出誤差を抑えることができる。
【０１９１】
このように、第１の光源１によって、第１の波長λ１の第１のレーザ光、及び第１の波長λ１よりも波長の短い第２の波長λ２の第２のレーザ光が出射され、第２の光源５によって、第２の波長λ２よりも波長の短い第３の波長λ３の第３のレーザ光が出射される。また、ビームスプリッタ９によって、第１の光源１から出射された第１のレーザ光及び第２のレーザ光が第１の立上ミラー１２へ向けて透過されるとともに、第２の光源５から出射された第３のレーザ光が第１の立上ミラー１２へ向けて反射される。さらに、偏光スタビライザ２８によって、第１の光源１から出射された第１のレーザ光及び第２のレーザ光のＳ偏光成分が所定の割合だけ透過される。そして、偏光スタビライザ２８とビームスプリッタ９との間に配置された偏光ビームスプリッタ２９によって、偏光スタビライザ２８を透過した第１のレーザ光又は第２のレーザ光が透過されるとともに、光記録媒体１９によって反射された第１のレーザ光又は第２のレーザ光が反射される。また、偏光ビームスプリッタ２９は、第１のレーザ光及び第２のレーザ光に対してはＰ偏光成分を透過させＳ偏光成分を反射させる。
【０１９２】
したがって、偏光スタビライザ２８により第１のレーザ光及び第２のレーザ光のＳ偏光成分が所定の割合だけ透過し、さらに、偏光ビームスプリッタ２９により第１のレーザ光及び第２のレーザ光のＰ偏光成分のみが透過することにより、Ｓ偏光成分の変動を確実に抑えることができ、光検出器１７の検出誤差を抑えることができる。
【０１９３】
次に、第７の実施形態の変形例について説明する。図１４は、第７の実施形態の変形例に係る光ピックアップ装置の構成を示す図である。なお、図１４では、第１の実施形態に係る光ピックアップ装置と同じ構成については、同じ符号を付して説明を省略し、異なる構成についてのみ説明する。
【０１９４】
第７の実施形態の変形例に係る光ピックアップ装置は、第１の実施形態のビームスプリッタ２に替えて、偏光ビームスプリッタ３０を備える。
【０１９５】
偏光ビームスプリッタ３０は、第１の光源１とビームスプリッタ９との間に配置され、第１の光源１から出射した第１のレーザ光又は第２のレーザ光を透過させるとともに、光記録媒体１９によって反射された第１のレーザ光又は第２のレーザ光を反射させる。具体的に、偏光ビームスプリッタ３０は、第１のレーザ光及び第２のレーザ光に対してはＰ偏光成分を透過させＳ偏光成分を反射させる第１の光学膜３０ａと、第１のレーザ光に対してはＰ偏光成分を所定の透過率Ｔｐ（例えば、８５％）で透過させるとともにＳ偏光成分を透過させず（透過率Ｔｓが０％）、第２のレーザ光に対してはＰ偏光成分を透過させＳ偏光成分を反射させる第２の光学膜３０ｂとを含む。
【０１９６】
第１の光源１を出射した第１のレーザ光又は第２のレーザ光は、偏光ビームスプリッタ３０の第１の光学膜３０ａに入射した後、偏光ビームスプリッタ３０の第２の光学膜３０ｂに入射する。このとき、第１のレーザ光は、第１の光学膜３０ａによりＰ偏光成分のみが透過し、さらに、第２の光学膜３０ｂにより所定の透過率だけＰ偏光成分が透過する。また、第２のレーザ光は、第１の光学膜３０ａによりＰ偏光成分のみが透過し、さらに、第２の光学膜３０ｂによりＰ偏光成分のみが透過する。
【０１９７】
一方、光記録媒体１９によって反射された第１のレーザ光は、第２の光学膜３０ｂによりＳ偏光成分が１００％反射し、第１の信号検出器３に入射する。また、光記録媒体１９によって反射された第２のレーザ光は、第２の光学膜３０ｂによりＳ偏光成分のみが反射し、第１の信号検出器３に入射する。
【０１９８】
この場合、出射光に対するＳ偏光成分の光検出器１７における受光量は、ＣＤ用の第１のレーザ光の場合８〜１１％となり、ＤＶＤ用の第２のレーザ光の場合８〜１１％となり、ＢＤ用の第３のレーザ光の場合５％となる。したがって、第１のレーザ光及び第２のレーザ光のＳ偏光成分の光検出器１７における受光量は減少し、Ｓ偏光成分が変動することによる光検出器１７での検出誤差を抑えることができる。
【０１９９】
このように、第１の光源１によって、第１の波長λ１の第１のレーザ光、及び第１の波長λ１よりも波長の短い第２の波長λ２の第２のレーザ光が出射され、第２の光源５によって、第２の波長λ２よりも波長の短い第３の波長λ３の第３のレーザ光が出射される。また、ビームスプリッタ９によって、第１の光源１から出射された第１のレーザ光及び第２のレーザ光が第１の立上ミラー１２へ向けて透過されるとともに、第２の光源５から出射された第３のレーザ光が第１の立上ミラー１２へ向けて反射される。そして、第１の光源１とビームスプリッタ９との間に配置された偏光ビームスプリッタ３０によって、第１の光源１から出射した第１のレーザ光又は第２のレーザ光が透過されるとともに、光記録媒体１９によって反射された第１のレーザ光又は第２のレーザ光が反射される。このとき、偏光ビームスプリッタ３０の第１の光学膜３０ａは、第１のレーザ光及び第２のレーザ光に対してはＰ偏光成分を透過させＳ偏光成分を反射させる。また、偏光ビームスプリッタ３０の第２の光学膜３０ｂは、第１のレーザ光に対してはＰ偏光成分を所定の透過率で透過させるとともにＳ偏光成分を透過させず、第２のレーザ光に対してはＰ偏光成分を透過させＳ偏光成分を反射させる。
【０２００】
したがって、偏光ビームスプリッタ３０の第１の光学膜３０ａにより第１のレーザ光及び第２のレーザ光のＰ偏光成分のみが透過し、さらに、偏光ビームスプリッタ３０の第２の光学膜３０ｂにより第１のレーザ光のＰ偏光成分のみが所定の透過率で透過し、第２のレーザ光のＰ偏光成分のみが透過することにより、Ｓ偏光成分の変動を確実に抑えることができ、光検出器１７の検出誤差を抑えることができる。
【０２０１】
なお、第７の実施形態に係る光ピックアップ装置の構成は、図１に示す第１の実施形態だけでなく、図４に示す第１の実施形態の変形例、図５に示す第２の実施形態、図６に示す第２の実施形態の変形例、図７に示す第３の実施形態、図８に示す第４の実施形態、図９に示す第５の実施形態、図１１に示す第５の実施形態の変形例、及び図１２に示す第６の実施形態に係る光ピックアップ装置にも適用可能である。
【０２０２】
また、本実施の形態において、第１の立上ミラー１２は、ＤＶＤ用の赤色光及びＣＤ用の赤外光を第１の対物レンズ１４に向けて反射させ、第２の立上ミラー１３は、ＢＤ用の青色光を第２の対物レンズ１５に向けて反射させているが、本発明は特にこれに限定されない。例えば、第１の立上ミラー１２は、ＤＶＤ用の赤色光、ＣＤ用の赤外光及びＨＤ  ＤＶＤ用の青色光を第１の対物レンズ１４に向けて反射させ、第２の立上ミラー１３は、ＢＤ用の青色光を第２の対物レンズ１５に向けて反射させてもよい。また、例えば、第１の立上ミラー１２は、ＤＶＤ用の赤色光及びＣＤ用の赤外光を第１の対物レンズ１４に向けて反射させ、第２の立上ミラー１３は、ＢＤ用の青色光及びＨＤ  ＤＶＤ用の青色光を第２の対物レンズ１５に向けて反射させてもよい。
【０２０３】
さらにまた、本実施の形態における光ピックアップ装置は、赤色光及び赤外光を第１の対物レンズ１４に向けて反射させるための第１の立上ミラー１２と、青色光を第２の対物レンズ１５に向けて反射させるための第２の立上ミラー１３とを備えているが、本発明は特にこれに限定されない。光ピックアップ装置は、３つの波長の光、すなわち、赤色光、赤外光及び青色光を対物レンズに向けて反射させる立上ミラーを１つだけ備えてもよい。
【０２０４】
（第８の実施形態）
図１５は、第８の実施形態に係る光記録媒体駆動装置の概略構成を示すブロック図である。第８の実施形態に係る光記録媒体駆動装置１００は、光ピックアップ装置１０１と、スピンドルモータ１０２と、トラバースモータ１０３と、信号処理部１０４と、制御部１０５とから構成されている。
【０２０５】
光ピックアップ装置１０１は、上述した第１の実施形態〜第７の実施形態の光ピックアップ装置である。スピンドルモータ１０２は、制御部１０５により供給される回転制御信号に基づき、一定の回転数または一定の線速度で光記録媒体１９を回転させる。トラバースモータ１０３は、制御部１０５により供給される移動制御信号に基づき、光ピックアップ装置１０１を光記録媒体１９の径方向の所定位置へと移動させる。
【０２０６】
信号処理部１０４は、外部から供給された情報信号を変調して光ピックアップ装置１０１に送るとともに、光ピックアップ装置１０１により検出されたレーザ光の光強度に対応した電気信号を受けて情報信号を復調し、さらに電気信号から差動プッシュプル（ＤＰＰ）方式のトラッキング誤差信号ＴＥを生成して、制御部１０５に送る。
【０２０７】
制御部１０５は、スピンドルモータ１０２及びトラバースモータ１０３の駆動を制御するとともに、信号処理部１０４から受け取ったＤＰＰ方式のトラッキング誤差信号ＴＥから、トラッキングサーボ信号ＴＳを生成し、光ピックアップ装置１０１の駆動を制御して、光記録媒体１９に対するトラッキングサーボを行う。
【０２０８】
このように、スピンドルモータ１０２によって、光記録媒体１９を回転させ、光ピックアップ装置１０１に含まれる第１の信号検出器３又は第２の信号検出器８によって、光記録媒体１９で反射された反射光が受光されて光強度に対応した電気信号に変換される。そして、トラバースモータ１０３によって、光記録媒体１９の情報トラックに対して光ピックアップ装置１０１が少なくとも径方向に駆動される。続いて、信号処理部１０４によって、光ピックアップ装置１０１の第１の信号検出器３又は第２の信号検出器８から受け取った電気信号からトラッキング誤差信号が生成され、制御部１０５によって、スピンドルモータ１０２の駆動が制御されるとともに、信号処理部１０４から受け取ったトラッキング誤差信号に基づき、トラバースモータ１０３の駆動が制御されて光記録媒体１９に対するトラッキングサーボが行われる。
【０２０９】
したがって、本実施形態に係る光記録媒体駆動装置１００は、上記の第１の実施形態〜第７の実施形態のいずれかの光ピックアップ装置が有する作用・効果を備えたものになり、光記録媒体１９に対する正確なトラッキングサーボを行うことができる。
【産業上の利用可能性】
【０２１０】
本発明に係る光ピックアップ装置及び光記録媒体駆動装置は、正確に光源のパワー制御を行うことができ、光記録媒体に対して情報の記録及び／又は再生を行う光ピックアップ装置及び光記録媒体駆動装置等として有用である。
【図面の簡単な説明】
【０２１１】
【図１】第１の実施形態に係る光ピックアップ装置の構成を示す図である。
【図２】第１の実施形態における第１の立上ミラーに入射するレーザ光の波長と、第１の立上ミラーの透過率との関係を示す図である。
【図３】第１の実施形態における第２の立上ミラーに入射するレーザ光の波長と、第２の立上ミラーの透過率との関係を示す図である。
【図４】第１の実施形態の変形例に係る光ピックアップ装置の構成を示す図である。
【図５】第２の実施形態に係る光ピックアップ装置の構成を示す図である。
【図６】第２の実施形態の変形例に係る光ピックアップ装置の構成を示す図である。
【図７】第３の実施形態に係る光ピックアップ装置の構成を示す図である。
【図８】第４の実施形態に係る光ピックアップ装置の構成を示す図である。
【図９】第５の実施形態に係る光ピックアップ装置の構成を示す図である。
【図１０】第５の実施形態における立上ミラーに入射するレーザ光の波長と、立上ミラーの透過率との関係を示す図である。
【図１１】第５の実施形態の変形例に係る光ピックアップ装置の構成を示す図である。
【図１２】第６の実施形態に係る光ピックアップ装置の構成を示す図である。
【図１３】第７の実施形態に係る光ピックアップ装置の構成を示す図である。
【図１４】第７の実施形態の変形例に係る光ピックアップ装置の構成を示す図である。
【図１５】第８の実施形態に係る光記録媒体駆動装置の概略構成を示すブロック図である。
【符号の説明】
【０２１２】
１    第１の光源
２    ビームスプリッタ
３    第１の信号検出器
４    リレーレンズ
５    第２の光源
７    ビームスプリッタ
８    第２の信号検出器
９    ビームスプリッタ
１０    広帯域１／４波長板
１１    コリメートレンズ
１２    第１の立上ミラー
１３    第２の立上ミラー
１４    第１の対物レンズ
１５    第２の対物レンズ
１６    集光レンズ
１７    光検出器
１８    パワー制御部
１９    光記録媒体
【図１】
2008181631.tif 000003
【図２】
2008181631.tif 000004
【図３】
2008181631.tif 000005
【図４】
2008181631.tif 000006
【図５】
2008181631.tif 000007
【図６】
2008181631.tif 000008
【図７】
2008181631.tif 000009
【図８】
2008181631.tif 000010
【図９】
2008181631.tif 000011
【図１０】
2008181631.tif 000012
【図１１】
2008181631.tif 000013
【図１２】
2008181631.tif 000014
【図１３】
2008181631.tif 000015
【図１４】
2008181631.tif 000016
【図１５】
2008181631.tif 000017